(57)【要約】  洗剤組成物の固体洗剤ブロックの分注速度を調節する方法が本明細書において記載される。この方法から製造される固体洗剤ブロックは、所定の分注速度、または押出法により製造される固体洗剤ブロックと同程度の分注速度を有することができる。固体洗剤ブロックおよび固体洗剤組成物を製造するプロセスもまた開示されている。【選択図】図１
2019529678.tif 000002
【特許請求の範囲】
【請求項１】
プロセスによって製造された固体洗剤ブロックであって、前記プロセスが、
固体アニオン性界面活性剤を含む第１の固体とアルカリ源を含む第２の固体とを混合して固体混合物を得、前記固体混合物を型中で圧縮して固体洗剤ブロックを形成することを含み、
前記アルカリ源が一つ又は複数のアルカリ化合物を含み、前記アニオン性界面活性剤の濃度が、前記固体洗剤ブロックの分注速度を調節するよう修正されている、固体洗剤ブロック。
【請求項２】
前記アニオン性界面活性剤が、式Ｒ１０ＳＯ３ＸまたはＲ１１Ｃ６Ｈ４ＳＯ３Ｘによって表される一つ又は複数のスルホネートであり、式中、Ｒ１０がＣ８〜Ｃ２０アルキルまたはアルケニルであり、Ｒ１１がＣ１〜Ｃ１５アルキルであり、ＸがＮａ＋、Ｋ＋、Ｌｉ＋、もしくはＮＨ４＋、またはそれらの混合物である、請求項１に記載の固体ブロック。
【請求項３】
前記一つ又は複数のアルカリ化合物が、アルカリ炭酸塩、炭酸ナトリウム、アルカリ重炭酸塩、炭酸水素ナトリウム、またはそれらの組み合わせである、請求項１又は２に記載の固体ブロック。
【請求項４】
前記ブロックの含水量が約０．１重量％〜約１０重量％である、請求項１〜３のいずれか１項に記載の固体ブロック。
【請求項５】
固体洗剤ブロック組成物であって、
（ａ）固体アニオン性界面活性剤を含む第１の固体と、
（ｂ）アルカリ源を含む第２の固体と、を含み、
前記アルカリ源は一つ又は複数のアルカリ化合物を含み、
前記第１の固体と前記第２の固体とが混合及び圧縮されて製造された固体ブロックであり、
前記アニオン性界面活性剤の濃度が、前記固体洗剤ブロックの分注速度を調節するよう修正されている、固体洗剤ブロック組成物。
【請求項６】
前記アニオン性界面活性剤が、式Ｒ１０ＳＯ３ＸまたはＲ１１Ｃ６Ｈ４ＳＯ３Ｘによって表される一つ又は複数のスルホネートであり、式中、Ｒ１０がＣ８〜Ｃ２０アルキルまたはアルケニルであり、Ｒ１１がＣ１〜Ｃ１５アルキルであり、ＸがＮａ＋、Ｋ＋、Ｌｉ＋、もしくはＮＨ４＋、またはそれらの混合物である、請求項５に記載の固体ブロック。
【請求項７】
前記一つ又は複数のアルカリ化合物が、アルカリ炭酸塩、炭酸ナトリウム、アルカリ重炭酸塩、炭酸水素ナトリウム、またはそれらの組み合わせである、請求項５又は６に記載の固体ブロック。
【請求項８】
前記ブロックの含水量が、約０．１重量％〜約１０重量％である、請求項５〜７のいずれか１項に記載の固体ブロック。
【請求項９】
洗浄、消毒、および／または漂白する方法であって、前記方法は、
請求項１〜８のいずれか１項に記載のブロックの使用溶液を生成することと、
洗浄および消毒を必要とする表面または物体を前記使用溶液と接触させることと、を含む、方法。
【請求項１０】
既存の固体洗剤組成物の分注速度を調節する方法であって、前記方法は、
固体アニオン性界面活性剤を含む第１の固体とアルカリ源を含む第２の固体とを混合して固体混合物を得、前記固体混合物を圧縮して固体ブロックを形成することを含み、
前記アルカリ源が一つ又は複数のアルカリ化合物を含み、前記アニオン性界面活性剤の濃度を修正して、前記固体洗剤組成物の前記分注速度を調節する、方法。
【請求項１１】
前記分注速度の前記調節が、既存の固体洗剤組成物と本質的に同一の分注速度もたらし、前記既存の固体洗剤組成物は前記第２の固体と本質的に同様の組成、寸法、および形状を有し、前記既存の固体洗剤ブロックおよび前記固体ブロックの前記分注速度は、同一の手順、条件、および機器によって測定される、請求項１０に記載の方法。
【請求項１２】
前記ブロックが、約０．１重量％〜約２５重量％の前記固体アニオン性界面活性剤を含む、請求項１０又は１１に記載の方法。
【請求項１３】
前記ブロックが、約１重量％〜約１０重量％の前記固体アニオン性界面活性剤を含む、請求項１０又は１１に記載の方法。
【請求項１４】
前記ブロックが、約３．５重量％〜約４．５重量％の前記固体アニオン性界面活性剤を含む、請求項１０又は１１に記載の方法。
【請求項１５】
前記ブロックが、約５０重量％〜約９５重量％の前記アルカリ源を含む、請求項１０〜１４のいずれか１項に記載の方法。
【請求項１６】
前記ブロックが、約７５重量％〜約９５重量％の前記アルカリ源を含む、請求項１０〜１４のいずれか１項に記載の方法。
【請求項１７】
前記ブロックが、固体ポリエチレングリコールをさらに含み、前記ブロックが、約０．１重量％〜約１０重量％の前記ポリエチレングリコールを含み、前記ポリエチレングリコールの平均分子量が約６，０００〜約１０，０００である、請求項１０〜１６のいずれか１項に記載の方法。
【請求項１８】
前記アニオン性界面活性剤が、スルホネート、アルキルスルホネート、アルキルベンゼンスルホネート、アルキルアリールスルホネート、スルホン化脂肪酸エステル、サルフェート、硫酸化アルコール、硫酸化アルコールエトキシレート、硫酸化アルキルフェノール、アルキルサルフェート、スルホスクシネート、アルキルエーテルサルフェート、リン酸エステル、アルキルリン酸エステル、カルボキシレート、アルキルカルボキシレート、ポリアルコキシカルボキシレート、アルコールエトキシレートカルボキシレート、ノニルフェノールエトキシレートカルボキシレート、またはそれらの２種以上の混合物である、請求項１０〜１７のいずれか１項に記載の方法。
【請求項１９】
前記アニオン性界面活性剤が、アルキルアリールスルホネート、アルファオレフィンスルホネート、脂肪アルコールサルフェート、アルキルサルフェート、アルキルベンゼンサルフェート、スルホスクシネート、硫酸化アルキルフェノール、アルキルエーテルサルフェート、またはそれらの２種以上の混合物である、請求項１０〜１７のいずれか１項に記載の方法。
【請求項２０】
前記アニオン性界面活性剤が、アルファオレフィンサルフェート、直鎖アルキルベンゼンサルフェート、および分岐アルキルベンゼンサルフェートからなる群から選択される一つ又は複数のサルフェートである、請求項１０〜１７のいずれか１項に記載の方法。
【請求項２１】
前記アニオン性界面活性剤が、式Ｒ１０ＳＯ３ＸまたはＲ１１Ｃ６Ｈ４ＳＯ３Ｘによって表される一つ又は複数のスルホネートであり、式中、Ｒ１０がＣ８〜Ｃ２０アルキルまたはアルケニルであり、Ｒ１１がＣ１〜Ｃ１５アルキルであり、ＸがＮａ＋、Ｋ＋、Ｌｉ＋、もしくはＮＨ４＋、またはそれらの混合物である、請求項１０〜１７のいずれか１項に記載の方法。
【請求項２２】
前記アニオン性界面活性剤が、式Ｒ１２ＣＨ＝ＣＨ２ＳＯ３Ｘによって表されるオレフィンスルホネートまたはそれらの２つ以上の混合物であり、式中、Ｒ１２が、Ｃ１０〜Ｃ１６アルキルであり、ＸがＮａ＋、Ｋ＋、Ｌｉ＋、ＮＨ４＋、またはそれらの混合物である、請求項１０〜１７のいずれか１項に記載の方法。
【請求項２３】
前記アニオン性界面活性剤が、式Ｒ１３Ｃ６Ｈ４ＳＯ３Ｘによって表される直鎖アルキルベンゼンスルホネートまたはそれらの２つ以上の混合物であり、式中、Ｒ１３が、Ｃ３〜Ｃ１０アルキルであり、ＸがＮａ＋、Ｋ＋、Ｌｉ＋、ＮＨ４＋、またはそれらの２つ以上の混合物である、請求項１０〜１７のいずれか１項に記載の方法。
【請求項２４】
前記一つ又は複数のアルカリ化合物が、アルカリ金属炭酸塩、アルカリ金属メタケイ酸塩、アルカリ金属重炭酸塩、アルカリ金属セスキ炭酸塩、水酸化アルカリ、ケイ酸塩、メタケイ酸塩、尿素硫酸塩、第四級アミン、アミン塩、四級アンモニア、それらの水和物、またはそれらの２種以上の混合物である、請求項１０〜２３のいずれか１項に記載の方法。
【請求項２５】
前記一つ又は複数のアルカリ化合物が一つ又は複数のアルカリ金属炭酸塩であり、少なくとも約８．５の使用溶液のｐＨをもたらす、請求項１０〜２３のいずれか１項に記載の方法。
【請求項２６】
前記一つ又は複数のアルカリ化合物が、アルカリ炭酸塩、炭酸ナトリウム、アルカリ重炭酸塩、および／または炭酸水素ナトリウムを含む、請求項１０〜２３のいずれか１項に記載の方法。
【請求項２７】
前記第１の固体または前記第２の固体形態が、独立して、粉末、フレーク、粒子状、結晶性固体、非晶質固体、またはそれらの混合物である、請求項１０〜２６のいずれか１項に記載の方法。
【請求項２８】
前記第１の固体が、２種以上の固体の混合物であり、それらの各々が一つ又は複数のアニオン性界面活性剤を含む、請求項１０〜２７のいずれか１項に記載の方法。
【請求項２９】
前記第１の固体が、一つ又は複数のアニオン性界面活性剤を含む単一の固体である、請求項１０〜２７のいずれか１項に記載の方法。
【請求項３０】
前記第２の固体が既存の固体洗剤組成物である、請求項１０〜２９のいずれか１項に記載の方法。
【請求項３１】
前記第２の固体が２つ以上の固体の混合物であり、それらの各々が一つ又は複数のアルカリ化合物またはそれらの水和物を含む、請求項１０〜２９のいずれか１項に記載の方法。
【請求項３２】
前記第２の固体が、一つ又は複数のアルカリ化合物またはそれらの水和物を含む単一の固体である、請求項１０〜２９のいずれか１項に記載の方法。
【請求項３３】
前記固体ブロックの含水量が、約０．１重量％〜約１０重量％である、請求項１０〜３２のいずれか１項に記載の方法。
【請求項３４】
前記第２の固体または第１の固体が、酵素、酸化剤、ペルオキシ酸およびその初期化剤、キレート剤、イオン析出防止剤（threshold agent）、結晶改質剤、消毒剤、消泡剤、再付着防止剤、漂白剤、溶解度調整剤、分散剤、リンス助剤、ポリマー、金属保護剤、安定剤、腐食防止剤、金属イオン封鎖剤および／またはキレート剤、香料および／または染料、レオロジー調整剤または増粘剤、非イオン性界面活性剤、カチオン性界面活性剤、または双性イオン性界面活性剤、ヒドロトロープまたはカプラー、ならびにそれらの組み合わせからなる群から選択される追加の機能性成分をさらに含む、請求項１０〜３３のいずれか１項に記載の方法。
【発明の詳細な説明】
【技術分野】
【０００１】
関連出願の相互参照
本出願は、２０１６年９月７日に出願された、Ｍｅｔｈｏｄ  ｏｆ  Ａｄｊｕｓｔｉｎｇ  ｔｈｅ  Ｄｉｓｐｅｎｓｅ  Ｒａｔｅ  ｏｆ  Ｓｏｌｉｄ  Ｄｅｔｅｒｇｅｎｔｓ  Ｕｓｉｎｇ  Ａｎｉｏｎｉｃ  Ｓｕｒｆａｃｔａｎｔｓと題する米国仮特許出願第６２／３８４，４８９号に対する優先権を主張し、その全体が参照により本明細書に組み込まれる。
【０００２】
本発明は、固体洗剤組成物および圧縮固体洗剤組成物の分注速度を調節する方法、およびそれらの使用方法に関する。特に、圧縮固体洗剤ブロック組成物は、アルカリ源を含む第１の固体とアニオン性界面活性剤を含む第２の固体とを含む混合物を圧縮することによって形成され、ここで圧縮固体洗剤ブロック組成物は、アニオン性界面活性剤および／もしくは追加の物質の選択された型および／または量を含む配合を通じて、所望の分注速度を有する。本発明はまた、アニオン性界面活性剤および／または追加の物質の異なる型および／または量を使用することによって、固体洗剤ブロック組成物、特に圧縮固体洗剤ブロック組成物の分注速度を調節する方法に関する。
【背景技術】
【０００３】
水性洗浄組成物は、病院、家庭、組織的および産業的業務、ハンドおよびボディーソープ、洗濯洗剤、食器洗い、ならびにハウスキーピング表面を含む用途において一般的に使用されている。典型的に、これらの洗浄材料は、使用溶液を形成するために、液体またはゲル化材料を希釈することによって作製される。多くのこのような溶液は、過去にいくつかの成功例を有しているが、しかしながら、最小限の水および高い活性物質濃度、優れた汚れ、例えば、油脂除去特性、ならびに制御された発泡を有する、容易に使用される濃縮物を製造する大きな必要性が、当技術分野に存在する。濃縮物形態の多くの先行技術の材料でさえも、相当量の水を含有し、それは、製造、輸送、および販売が困難である。材料はまた、いくつかの汚れ除去特性を有し得るが、油脂除去および硬表面洗浄剤を改善することは、継続的な必要性または要件である。
【０００４】
固体洗剤ブロックは改善された取り扱い、向上した安全性、輸送および保管の間の構成成分の分離の排除、ならびに組成物内の活性構成成分の増加した濃度を含む、従来の液体、顆粒、またはペレット形態の洗剤を超える独自の利点を有する。これらの利点のために、固体洗剤ブロックは、特に大量の洗浄剤を日常的に使用する商業的および産業的な機関によって広く使用されている。
【０００５】
固体洗剤ブロックを製造するための様々な組成物および方法が開示されている。参照により本明細書に組み込まれる、Ｓｔｏｌｔｅらの米国特許第６，３８７，８７０号は、そのような組成物の１つを開示し、そして同様の固体洗剤ブロックについて先行技術を論じた。固体洗剤ブロックを製造する方法にかかわらず、分注時に洗剤組成物の特定の使用希釈物を提供する必要がある。したがって、操作および／または分注器の設定の修正を必要とせずに、固体洗剤ブロックの一定の分注速度を提供することが重要である。
【０００６】
したがって、圧縮固体洗剤組成物中に種々の量または型のアニオン性界面活性剤および／または追加の物質を使用することによって圧縮固体洗剤ブロック組成物の分注速度を調節する方法を開発することが目的である。
【０００７】
別の目的は、圧縮固体洗剤組成物を開発することであり、それにより圧縮固体洗剤ブロックは、圧縮プロセスによって製造できるだけでなく、既存のまたは既知の分注機器を利用するための所定の分注速度も有する。
【０００８】
他の目的、利点、および特徴は、添付の実施例、図、および図面と併せて以下の明細書から明らかになるであろう。
【発明の概要】
【０００９】
方法、プロセスおよび組成物の利点は、固体ブロックまたは他の形態のための固体洗剤組成物を、所与の分注機器を使用して様々な分注および／または洗浄要件に対して特定の所定の分注速度を有するように修正できることである。
【００１０】
驚くべきことに、固体アニオン性界面活性剤と固体洗剤組成物、好ましくは圧縮固体洗剤組成物とを混合すると、組成物中の異なる型および／または量のアニオン性界面活性剤および／または追加の物質を使用することによって修正できる様々な分注速度で固体ブロックを製造できることがわかった。一態様において、分注速度の調節は、同一の手順、条件、および機器によって測定された、本質的に同様の組成、寸法および形状を有する既存の固体ブロックと本質的に同一の分注速度を提供する。
【００１１】
一態様において、既存の固体洗剤組成物の分注速度を調節する方法は、アニオン性界面活性剤固体および／または他の材料とアルカリ源を含む固体洗剤組成物とを混合して固体混合物を得ることと、混合物を圧縮してブロックを形成することとを含む。一態様において、分注速度の調節は、同一の手順、条件、および機器によって測定されると、本質的に同様の組成、寸法および形状を有する既存の固体洗剤組成物と本質的に同一の分注速度を提供する。さらに別の態様において、圧縮固体洗剤ブロックは、（ａ）アニオン性界面活性剤を含む第１の固体とアルカリ源を含む第２の固体とを混合して混合物を得ることと、（ｂ）混合物を型中で圧縮してブロックを形成することとを含むプロセスによって製造され、ここでアルカリ源は、一つ又は複数のアルカリ化合物を含む。
【００１２】
さらに別の態様において、圧縮固体洗剤ブロック組成物は、（ａ）アニオン性界面活性剤を含む第１の固体と、（ｂ）アルカリ源を含む第２の固体とを含み、ここでアルカリ源は、一つ又は複数のアルカリ化合物を含み、第１の固体と第２の固体は、混合されて圧縮されて固体ブロックを製造する。
【００１３】
別の態様において、洗浄、消毒および／または漂白の方法は、洗浄、消毒および／または漂白を必要とする表面または物体を、本明細書に開示される方法、プロセスまたは組成物から製造されるブロックの使用溶液と接触させることを含む。
【００１４】
複数の実施形態が開示されているが、本発明のなお他の実施形態は、本発明の例証的な実施形態を図示および説明する以下の詳細な説明から、当業者には明らかになるであろう。したがって、実施例、図、図面および発明を実施するための形態は、本来は例示的であり、限定的ではないものとしてみなされるべきである。
【図面の簡単な説明】
【００１５】
【図１】本明細書において評価した固体洗剤ブロック組成物を比較した分注速度を示す。
【図２】本明細書に開示される実施形態による、さらに１つの固体構成成分を添加した固体洗剤ブロック組成物を比較した分注速度を示す。
【図３】種々の量と型の固体アニオン性界面活性剤と他の物質を含む圧縮洗剤ブロック組成物の分注速度を示す。
【図４】種々の温度と圧力の水を使用した、押出された固体ブロック組成物と圧縮された固体ブロック組成物の分注速度の比較を示す。
【００１６】
本発明の様々な実施形態は、実施例、図、および図面を参照して詳細に説明され、ここで同様の参照番号は、いくつかの図を通して同様の部分を表す。様々な実施形態への言及は、本発明の範囲を限定しない。本明細書において示される図は、本発明による様々な実施形態の限定ではなく、本発明の例示的説明のために示される。
【発明を実施するための形態】
【００１７】
圧縮固体洗剤ブロックの分注速度を調節する方法が提供され、それにより、圧縮固体洗剤ブロックは、所与のまたは既存の分注機器において様々な目的のために所定量の洗浄剤、消毒剤、および／または漂白剤を供給することができる。本明細書において開示される方法は多くの利点と有用な用途を有する。例えば、方法は、異なる固化方法（例えば、圧縮、キャスティング、押出など）によって製造された固体洗剤ブロックと同等または匹敵する分注速度を有する固体洗剤ブロックを製造することができる。開示される方法を用いて、種々の分注速度を有する固体洗剤ブロックを製造し、種々の洗剤濃度、したがって種々の用途のために同一の分注機器において使用することができる。
【００１８】
実質的に同様の洗浄性能を有するが、所定のまたは所望の分注速度で圧縮固体洗剤ブロックを製造する方法もまた提供される。製造された固体洗剤ブロックは、既存の製品と同様のまたは同一の分注器で使用することができるが、なおも種々の用途に対して種々の洗剤濃度を供給することができる。プロセスは、圧縮固体洗剤ブロックの分注速度を修正する方法を提供する。
【００１９】
所定のまたは所望の分注速度を有するだけでなく、既存の固体ブロック組成物と実質的に同様の洗浄性能を示す、固体洗剤ブロックを製造するために使用することができる圧縮固体洗剤組成物が提供される。
【００２０】
本発明の実施形態は、特定の組成物、プロセス、および使用の方法に限定されず、これらは変更し得、当業者によって理解される。本明細書に使用される全ての専門用語は、単に特定の実施形態を説明する目的のためであり、いかなる様式または範囲においても限定的であることを意図されないことがさらに理解されるべきである。例えば、本明細書および添付の特許請求の範囲において使用される場合、単数形「ａ」、「ａｎ」、および「ｔｈｅ」は、内容が別段明らかに示されない限り、複数形の指示対象を含み得る。さらに、全ての単位、接頭辞、および記号は、そのＳＩによって認められた形態で示され得る。
【００２１】
本明細書内に列挙される数的範囲は、定義される範囲内の数を含む。本開示全体を通して、本発明の様々な態様が範囲形式で提示される。範囲形式における説明は単に便宜および簡潔さのためであり、本発明の範囲への堅固な限定として解釈されるべきではないことを理解されたい。したがって、範囲の説明は、その範囲内の全ての可能性のある部分範囲および個々の数値を具体的に開示していると見なされるべきである（例えば、１〜５は、１、１．５、２、２．７５、３、３．８０、４、および５を含む）。
【００２２】
本発明をより容易に理解し得るように、特定の用語をまず定義する。別段定義されない限り、本明細書で使用される全ての技術および科学用語は、本発明の実施形態が関連する技術分野の当業者によって一般に理解されるものと同じ意味を有する。本明細書に記載されるものと類似しているか、それらを修正したか、またはそれらと同等である多くの方法および材料が、過度の実験を伴うことなく本発明の実施形態の実践に使用され得、好ましい材料および方法が、本明細書に記載される。本発明の実施形態を説明および請求する上で、以下に記載される定義に従って以下の専門用語が使用される。
【００２３】
「約」という用語は、本明細書で使用される場合、例えば、現実世界において濃縮物または使用溶液の作製に使用される典型的な測定および液体取扱い手順；それらの手順における不慮の誤差；組成物の作製または方法の実行に使用される成分の作製、供給源、または純度の違いなどによって生じ得る、数量の変形を指す。用語「約」はまた、特定の初期混合物から得られる組成物に関する異なる平衡条件によって異なる量も包含する。用語「約」により修飾されるか否かにかかわらず、特許請求の範囲は、その量の当量を含む。
【００２４】
「活性物質」、または「活性物質のパーセント」、または「活性物質の重量パーセント」、または「活性物質濃度」という用語は、本明細書において互換的に使用され、水または塩などの不活性成分を引いた百分率として表される、洗浄に関与する成分の濃度を指す。
【００２５】
本明細書において使用する場合、用語「アルキル」または「アルキル基」は、１個以上の炭素原子を有する飽和炭化水素を指し、直鎖アルキル基（例えば、メチル、エチル、プロピル、ブチル、ペンチル、ヘキシル、ヘプチル、オクチル、ノニル、デシル等）、環式アルキル基（または「シクロアルキル」もしくは「脂環式」もしくは「炭素環式」基）（例えば、シクロプロピル、シクロペンチル、シクロヘキシル、シクロヘプチル、シクロオクチル等）、分岐鎖アルキル基（例えば、イソプロピル、ｔｅｒｔ−ブチル、ｓｅｃ−ブチル、イソブチル等）、ならびにアルキル置換アルキル基（例えば、アルキル置換シクロアルキル基およびシクロアルキル置換アルキル基）を含む。
【００２６】
別段の定めがない限り、用語「アルキル」は、「非置換アルキル」および「置換アルキル」の両方を含む。本明細書で使用する場合、用語「置換アルキル」は、炭化水素骨格の１つ以上の炭素上の１つ以上の水素を置換する置換基を有するアルキル基を指す。そのような置換基には、例えば、アルケニル、アルキニル、ハロゲノ、ヒドロキシル、アルキルカルボニルオキシ、アリールカルボニルオキシ、アルコキシカルボニルオキシ、アリールオキシ、アリールオキシカルボニルオキシ、カルボキシレート、アルキルカルボニル、アリールカルボニル、アルコキシカルボニル、アミノカルボニル、アルキルアミノカルボニル、ジアルキルアミノカルボニル、アルキルチオカルボニル、アルコキシル、ホスフェート、ホスホネート（ｐｈｏｓｐｈｏｎａｔｏ）、ホスフィネート（ｐｈｏｓｐｈｉｎａｔｏ）、シアノ、アミノ（アルキルアミノ、ジアルキルアミノ、アリールアミノ、ジアリールアミノ、およびアルキルアリールアミノを含む）、アシルアミノ（アルキルカルボニルアミノ、アリールカルボニルアミノ、カルバモイル、およびウレイドを含む）、イミノ、スルフヒドリル、アルキルチオ、アリールチオ、チオカルボキシレート、サルフェート、アルキルスルフィニル、スルホネート、スルファモイル、スルホンアミド、ニトロ、トリフルオロメチル、シアノ、アジド、複素環式、アルキルアリール、または芳香族（複素芳香族を含む）基が含まれ得る。
【００２７】
いくつかの実施形態では、置換アルキルには、複素環式基が含まれ得る。本明細書において使用する場合、用語「複素環式基」は、環内の炭素原子のうちの１個以上が炭素以外の元素、例えば、窒素、硫黄、または酸素である、炭素環式基に類似している閉環構造を含む。複素環式基は、飽和または不飽和であってよい。例示的な複素環式基としては、アジリジン、エチレンオキシド（エポキシド、オキシラン）、チイラン（エピスルフィド）、ジオキシラン、アゼチジン、オキセタン、チエタン、ジオキセタン、ジチエタン、ジチエト、アゾリジン、ピロリジン、ピロリン、オキソラン、ジヒドロフラン、およびフランが挙げられるが、これらに限定されない。
【００２８】
アルケニル基またはアルケンは、２〜約３０個の炭素原子を有し、さらに少なくとも１つの二重結合を含む直鎖、分岐鎖、または環状のアルキル基である。いくつかの実施形態において、アルケニル基は、２〜約２０個の炭素原子、または典型的には２〜１０個の炭素原子を有する。アルケニル基は、置換または非置換であり得る。アルケニル基はアルキル基と同様に置換されていてもよい。
【００２９】
本明細書で使用されるとき、用語「アルキレン」、「シクロアルキレン」、アルキニレン、およびアルケニレン」は、単独でまたは別の置換基の一部として、−ＣＨ２ＣＨ２ＣＨ２−によって例示されるアルキル、シクロアルキル、またはアルケニル基からそれぞれ誘導される二価ラジカルを指す。アルキレン、シクロアルキレン、アルキニレン、およびアルケニレン基については、連結基の配向は暗示されない。
【００３０】
本明細書において使用されるとき、「アリール」または「芳香族」基は、ヘテロ原子を含まない環状芳香族炭化水素である。アリール基は、単環式、二環式、および多環式の環系を含む。したがって、アリール基は、フェニル、アズレニル、ヘプタレニル、ビフェニレニル、インダセニル、フロレニル、フェナントレニル、トリフェニレニル、ピレニル、ナフタセニル、クリセニル、ビフェニル、アントラセニル、インデニル、インダニル、ペンタレニル、およびナフチル基を含むがこれらに限定されない。いくつかの実施形態において、アリール基は、６〜１４個の炭素、他のものでは６〜１２個または６〜１０個の炭素原子を基の環部分に含む。語句「アリール基」は、縮合芳香族−脂肪族環系等の縮合環を含有する基を含む。アリール基は、置換または非置換であり得る。
【００３１】
「再堆積防止剤」は、洗浄されている物体上に再堆積する代わりに水中に懸濁されたままであることを助ける化合物を指す。再堆積防止剤は、洗浄されている表面上の除去された汚れの再堆積の低減を補助するために、本発明において有用である。
【００３２】
本明細書において使用されるとき、用語「洗浄」は、汚れ除去、漂白、微生物群の減少、およびそれらの任意の組み合わせを実施、促進するか、またはそれらを助けることを指す。本明細書で使用される場合、「マイクロ有機体」という用語は、あらゆる非細胞生物または単細胞（群体を含む）有機体を指す。微生物には、全ての原核生物が含まれる。微生物は、細菌（シアノバクテリアを含む）、胞子、地衣類、菌類、原虫、ビリノ、ウイロイド、ウイルス、ファージ、およびいくつかの藻を含む。本明細書において使用する場合、用語「微生物（ｍｉｃｒｏｂｅ）」は、微生物（ｍｉｃｒｏｏｒｇａｎｉｓｍ）と同義である。
【００３３】
本明細書において使用されるとき、用語「殺菌剤」は、Ａ．Ｏ．Ａ．Ｃ．Ｕｓｅ  Ｄｉｌｕｔｉｏｎ  Ｍｅｔｈｏｄｓ，Ｏｆｆｉｃｉａｌ  Ｍｅｔｈｏｄｓ  ｏｆ  Ａｎａｌｙｓｉｓ  ｏｆ  ｔｈｅ  Ａｓｓｏｃｉａｔｉｏｎ  ｏｆ  Ｏｆｆｉｃｉａｌ  Ａｎａｌｙｔｉｃａｌ  Ｃｈｅｍｉｓｔｓ，ｐａｒａｇｒａｐｈ  ９５５．１４  ａｎｄ  ａｐｐｌｉｃａｂｌｅ  ｓｅｃｔｉｏｎｓ，１５ｔｈ  Ｅｄｉｔｉｏｎ，１９９０（ＥＰＡ  Ｇｕｉｄｅｌｉｎｅ  ９１−２）に記載される手順を用いて、最も知られている病原微生物を含む全ての栄養細胞を死滅させる作用剤を指す。本明細書で使用されるとき、「高レベル殺菌」または「高レベル殺菌剤」という用語は、高レベルの細菌胞子を除き実質的に全ての有機体を死滅させ、食品医薬品局によって滅菌剤としての市販を許可されている化学的殺菌剤を用いて効果をもたらされる化合物または組成物を指す。本明細書で使用されるとき、「中間レベル殺菌」または「中間レベル殺菌剤」という用語は、環境保護庁（ＥＰＡ）によって殺結核菌剤として登録されている化学的殺菌剤を用いてマイコバクテリウム、大部分のウイルス、および細菌を死滅させる化合物または組成物を指す。本明細書で使用されるとき、「低レベル殺菌」または「低レベル殺菌剤」という用語は、ＥＰＡによって病院用殺菌剤として登録されている化学的殺菌剤を用いて一部のウイルスおよび細菌を死滅させる化合物または組成物を指す。
【００３４】
本明細書において使用されるとき、「既存の固体洗剤組成物」とは、全ての活性洗剤成分と任意選択で１つ以上の追加の機能性成分とを含むが、その水含有物を含まないか、低減したかもしくは全ての水含有物を含む洗剤組成物であって、本明細書において開示される、組成物中の種々の型および／または量のアニオン性界面活性剤および／または追加の物質を用いる組成物および／または方法によって修正されるような調節された分注速度を有する固体洗剤組成物と比較される洗剤組成物を指す。本明細書で使用される全ての既存の固体洗剤組成物はアルカリ源を含む。
【００３５】
本明細書において使用する場合、語句「食品加工表面」は、食品加工、調理、または保存活動の一部として使用される道具、機械、設備、構造、または建物等の表面を指す。食品加工表面の例としては、食品加工または調理設備（例えば、スライス、缶詰化、またはフルームを含む運搬設備）の表面、食品加工ウェア（例えば、調理器具、食器類、洗浄ウェア（ｗａｓｈ  ｗａｒｅ）、およびバーのガラス）の表面、ならびに食品加工が行われる構造の床、壁、または据え付け品の表面が挙げられる。食品加工表面は、食品腐敗防止空気循環システム、無菌包装の消毒、食品冷蔵庫およびクーラーの洗浄剤および消毒剤、ウェア洗浄の消毒、ブランチャーの洗浄及び消毒、食品包装材料、まな板の添加剤、第３シンク（ｔｈｉｒｄ−ｓｉｎｋ）消毒、飲料冷蔵室及び加温器、肉の冷却または熱水、自動食器消毒剤、消毒ゲル、冷却塔、食品加工の抗菌性衣類スプレー、ならびに非水性から低水性の食品調理潤滑剤、油、及びすすぎ添加剤に見られ、使用される。
【００３６】
本明細書で使用されるとき、語句「食品」は、抗菌剤または組成物による処理を必要とする可能性があり、さらなる調製の有無にかかわらず食用可能な任意の食品物質を含む。食品は、肉（例えば、赤身肉および豚肉）、魚介類、家禽、農産物（例えば、果物および野菜）、卵、生卵、卵製品、インスタント食品、小麦、種子、根、塊茎、葉、茎、トウモロコシ、花、もやし、調味料、またはそれらの組み合わせを含む。用語「農産物」は、典型的には調理されずに、そしてしばしば包装されずに販売され、そして時には生食され得る果物および野菜および植物または植物由来の物質などの食品を指す。
【００３７】
用語「硬表面」は、カウンタートップ、タイル、床、壁、パネル、窓、衛生器具、台所および浴室用の器具、電化製品、エンジン、回路板、および皿等の、固体の実質的に非柔軟性の表面を指す。硬表面は、例えば、ヘルスケア表面および食品加工表面を含み得る。
【００３８】
本明細書で使用される場合、「健康管理表面」という語句は、健康管理活動の一貫として用いられる、器具、デバイス、カート、ケージ、家具、構造物、建造物等の表面を指す。健康管理表面の例は、医療用基布もしくは歯科用器具の表面、医療用デバイスもしくは歯科用デバイスの表面、患者の健康を監視するために用いられる電子装置の表面、および健康管理が生じる構造物の床、壁、もしくは備品の表面を含む。健康管理表面は、病院、外科手術室、虚弱者用の部屋、出産用の部屋、葬儀場、および臨床診断室内に見られる。これらの表面は、「硬表面」（壁、床、ベッドパンなど）、もしくは織物表面、例えば、編み物、織物、および不織布の表面（外科用衣類、カーテン、ベッドリネン、包帯など）、もしくは患者ケア機器（呼吸器、診断用器具、シャント、ボディスコープ、車椅子、ベッドなど）、もしくは外科用機器および診断用機器として代表されるものであり得る。健康管理表面は、動物の健康管理において用いられる物品および表面を含む。
【００３９】
本明細書において使用されるとき、用語「器具」は、本発明の方法によって処理された組成物によって洗浄することにより利益を得ることができる、様々な医療用のまたは歯科用の器具またはデバイスを指す。
【００４０】
用語「洗濯物」は、洗濯機で洗浄される品目または物品を指す。一般に、洗濯物は、織物材料、織布、不織布、およびニット織物から作製された、またはそれらを含む、あらゆる品目または物品を指す。織物材料としては、シルク繊維、リネン繊維、綿繊維、ポリエステル繊維、ナイロン等のポリアミド繊維、アクリル繊維、アセテート繊維、ならびに綿およびポリエステルブレンドを含むこれらのブレンド等の、天然または合成繊維が挙げられ得る。繊維は、処理済または未処理であり得る。例となる処理済繊維としては、難燃処理をされたものが挙げられる。用語「リネン」は、多くの場合、ベッドシーツ、ピローケース、タオル、テーブルリネン、テーブルクロス、バーモップ、および制服を含む特定のタイプの洗濯物品目を記述するために使用されることが理解されるべきである。本発明は、非洗濯物物品ならびに皿、ガラス、および他の製品等の硬表面を含む表面を処理する組成物および方法を追加的に提供する。
【００４１】
本明細書で使用される場合、「医療用器具」、「歯科用器具」、「医療用デバイス」、「歯科用デバイス」、「医療用機器」、もしくは「歯科用機器」という語句は、医薬もしくは歯科において使用される、器具、デバイス、ツール、電化製品、装置、および機器を指す。そのような器具、デバイス、および機器は、冷滅菌、浸漬、もしくは洗浄され得、次に熱滅菌され得るか、または別様に、本発明の組成物の洗浄から利益を得ることができる。これらの様々な器具、デバイス、および機器は、診断用器具、トレイ、パン、ホルダー、ラック、鉗子、はさみ、せん断器、鋸（例えば、骨鋸およびそれらの刃）、止血鉗子、ナイフ、チゼル、骨鉗子、ファイル、ニッパー、ドリル、ドリルビット、やすり、バリ、スプレッダー、ブレーカー、エレベーター、クランプ、針ホルダー、キャリア、クリップ、フック、ガウジ、キューレット、リトラクター、ストレートナー、パンチ、エクストラクター、スクープ、角膜切開刀、スパチュラ、エクスプレッサー、トロカール、拡張器、ケージ、ガラス食器、チュービング、カテーテル、カニューレ、プラグ、ステント、スコープ（例えば、内視鏡、聴診器、および関節鏡）、および関連する機器等、またはそれらの組み合わせを含むがこれらに限定されない。
【００４２】
本明細書において使用される場合、用語「ポリマー」は、一般に、これらに限定されないが、ホモポリマー、コポリマー、例えばブロック、グラフト、ランダムおよび交互コポリマー等、ターポリマー、ならびにより高次の「ｘ」量体を含み、それらの誘導体、組み合わせおよびブレンドをさらに含む。さらに、別段に具体的に限定されない限り、用語「ポリマー」は、これらに限定されないが、アイソタクチック、シンジオタクチックおよびランダム対称、ならびにそれらの組み合わせを含む、分子の全ての可能な異性体構成を含むものとする。さらに、別段に具体的に限定されない限り、用語「ポリマー」は、分子の全ての可能な幾何学構成を含むものとする。
【００４３】
本特許出願の目的のため、良好な微生物の減少は、微生物集団が少なくとも約５０％減少されるときに達成され、またはそれを著しく超えるものは、水による洗浄によって達成される。微生物集団のより大きな減少は、より大きなレベルの保護を提供する。
【００４４】
本明細書で使用されるとき、用語「消毒剤」は、細菌性汚染物質の数を公衆衛生要件によって判定される安全なレベルにまで低減する薬剤を指す。一実施形態において、本発明における使用のための消毒剤は、少なくとも３ｌｏｇの低減、およびより好ましくは５ｌｏｇオーダーの低減を提供するであろう。これらの低減は、Ｇｅｒｍｉｃｉｄａｌ  ａｎｄ  Ｄｅｔｅｒｇｅｎｔ  Ｓａｎｉｔｉｚｉｎｇ  Ａｃｔｉｏｎ  ｏｆ  Ｄｉｓｉｎｆｅｃｔａｎｔｓ，Ｏｆｆｉｃｉａｌ  Ｍｅｔｈｏｄｓ  ｏｆ  Ａｎａｌｙｓｉｓ  ｏｆ  ｔｈｅ  Ａｓｓｏｃｉａｔｉｏｎ  ｏｆ  Ｏｆｆｉｃｉａｌ  Ａｎａｌｙｔｉｃａｌ  Ｃｈｅｍｉｓｔｓ，１５ｔｈ  Ｅｄｉｔｉｏｎ，１９９０（ＥＰＡ  Ｇｕｉｄｅｌｉｎｅ  ９１−２）の段落９６０．０９および適用可能な節に記載される手順を使用して評価され得る。この参考文献によると、消毒剤は、いくつかの試験有機体に対して、室温、２５±２℃において３０秒間以内に９９．９９９％の低減（５ｌｏｇオーダーの低減）を提供しなくてはならない。消毒剤と殺菌剤の基準は、用途や地域によって異なる。
【００４５】
本明細書で使用されるとき、「汚れ」または「染み」という用語は、非極性の油性物質を指し、これは、鉱物粘度、砂、天然鉱物質、カーボンブラック、グラファイト、カオリン、環境粉塵などの特定の物質を含有してもよく、またはしなくてもよい。
【００４６】
本明細書において使用されるとき、用語「殺胞子剤」は、６０℃において１０秒以内に、Ｂａｃｉｌｌｕｓ  ｃｅｒｅｕｓまたはＢａｃｉｌｌｕｓ  ｓｕｂｔｉｌｉｓの集団における９０％を超える減少（１ｌｏｇオーダーの減少）を引き起こす能力を有する物理的もしくは化学物質またはプロセスを指す。ある特定の実施形態において、本発明の殺胞子組成物は、６０℃において１０秒以内に、そのような集団における９９％超の減少（２ｌｏｇオーダーの減少）、９９．９９％超の減少（４ｌｏｇオーダーの減少）、または９９．９９９％超の減少（５ｌｏｇオーダーの減少）をもたらす。
【００４７】
抗微生物性の「殺〜」または「静〜」活性の区別、効果の程度を説明する定義、およびこの効果を測定するための公式の実験室プロトコルは、抗微生物性剤および組成物の関連性を理解するための考慮点である。抗微生物性組成物は、２種類の微生物細胞損傷に影響を与え得る。１つ目は、完全な微生物細胞の破壊または不能化をもたらす致死的な不可逆性作用である。２つ目の種類の細胞損傷は、可逆的であり、その結果、有機体がその薬剤を有しなくなると再び繁殖し得る。前者は殺微生物性、後者は静微生物性と呼ばれる。消毒剤および殺菌剤は、定義によると、抗微生物性または殺微生物性活性を提供する薬剤である。対照的に、防腐剤は概して、阻害剤または静微生物性組成物として説明される。
【００４８】
本明細書において使用される場合、「実質的に含まない」という用語は、その構成成分を完全に欠くか、またはその構成成分が組成物の性能に影響を及ぼさない程度の少量の構成成分を有する組成物を指す。構成成分は、不純物としてまたは汚染物質として存在してもよく、０．５重量％未満でなければならない。別の実施形態では、構成成分の量は、０．１重量％未満であり、さらに別の実施形態では、構成成分の量は、０．０１重量％未満である。
【００４９】
用語「実質的に同様の洗浄性能」は、概して洗浄力の同じ度合（または少なくとも顕著に劣る度合いではない）、または概して同じ労力の消費（または少なくとも顕著に劣る消費ではない）を用いる代用洗浄製品または代用洗浄系により概して達成されることを指す。
【００５０】
本明細書で使用されるとき、「車両」または「車」という用語は、限定するものではないが、自動車、トラック、スポーツ用途車両、バス、トラック、オートバイ、モノレール、ディーゼル機関車、旅客コーチ、小型単一エンジン私用飛行機、企業用ジェット機、民間航空機器などを含む任意の輸送のための輸送機関を指す。
【００５１】
本明細書で使用される場合、用語「ウェア」は、食器道具および調理道具、食器類、ならびにシャワー、シンク、トイレ、浴槽、天板、窓、鏡、運搬用車両、および床等の他の硬表面を指す。本明細書で使用される場合、用語「ウェア洗浄」は、ウェアの洗浄、洗浄、またはすすぎを指す。ウェアは、プラスチック製のアイテムも指す。本発明による組成物で洗浄され得るプラスチックの型としては、ポリプロピレンポリマー（ＰＰ）、ポリカーボネートポリマー（ＰＣ）、メラミンホルムアルデヒド樹脂またはメラミン樹脂（メラミン）、アクリロニトリル−ブタジエン−スチレンポリマー（ＡＢＳ）、およびポリスルホンポリマー（ＰＳ）を含むものが挙げられるが、これらに限定されない。本発明の化合物および組成物を使用して洗浄され得る他の例示的なプラスチックには、ポリエチレンテレフタレート（ＰＥＴ）ポリスチレンポリアミドが含まれる。
【００５２】
本明細書において使用される場合、用語「水」は、食品加工用または運搬用の水を含む。食品加工または運搬用の水は、農作物運搬用水（例えば、水路、パイプ輸送、カッター、スライサー、ブランチャー、レトルトシステム、洗浄機等において見られるもの）、食品運搬ライン用のベルトスプレー、ブーツおよびハンドウォッシュ浸漬パン、第３シンク濯ぎ水等を含む。水はまた、家庭用およびレクリエーション用水、例えばプール、スパ、レクリエーション用水路およびウォータースライド、噴水等を含み得る。
【００５３】
本明細書において使用されるとき、語句「水溶性」は、物質が本発明の組成物中の水に可溶であることを意味する。一般に、物質は２５℃で水の約０．１重量％、あるいは約１重量％、あるいは約５重量％、あるいは約１５重量％の濃度で可溶性であるべきである。
【００５４】
用語「重量パーセント（ｗｅｉｇｈｔ  ｐｅｒｃｅｎｔ）」、「重量％（ｗｔ−％）」、「重量パーセント（ｐｅｒｃｅｎｔ  ｂｙ  ｗｅｉｇｈｔ）」、「重量％（％  ｂｙ  ｗｅｉｇｈｔ）」、およびそれらの変形は、本明細書で使用される場合、その物質の重量を組成物の総重量で除し、１００を乗じた物質の濃度を指す。本明細書で使用される場合、「パーセント」、「％」等は、「重量パーセント」、「重量％」等と同義であることが意図されることが理解される。
【００５５】
本発明の方法および組成物は、本発明の構成成分および成分、ならびに本明細書に記載される他の成分を含むか、それらから本質的になるか、またはそれらからなってもよい。本明細書において使用されるとき、「〜から本質的になる（ｃｏｎｓｉｓｔｉｎｇ  ｅｓｓｅｎｔｉａｌｌｙ  ｏｆ）」とは、方法、プロセス、および組成物が、追加のステップ、構成成分、または成分を含み得るが、ただしその追加のステップ、構成成分、または成分が、特許請求される方法、プロセスおよび組成物の基本的かつ新規の特徴を著しく変更しない場合に限ることを意味する。
【００５６】
本明細書および添付の特許請求の範囲で使用される場合、用語「構成される」は、特定のタスクを行なうか、または特定の形態に適合するように構築もしくは構成されたシステム、装置、または他の構造を説明することに留意されたい。用語「構成される」は、配置され構成される、構築され配置される、適合され構成される、および適合され、構築され、製造され、配置される等の他の類似した語句と同じ意味で使用され得る。
【００５７】
固体洗剤
本明細書で使用されるとき、用語「固体」は、当業者に知られている物質の状態を指す。固体は、結晶質、非晶質形態、またはそれらの混合物であり得る。固体組成物は単一の化合物または化合物の混合物を含むことができる。固体は、２つ以上の異なる固体の混合物であり得る。固体は粒子の集合体であり得、その各々は数、数十、数百マイクロメートルまたはナノメートルのサイズを有する。固体は１つ以上の化合物の粉末であり得る。
【００５８】
本明細書において使用されるとき、固体洗剤、固体配合物、または固体洗浄組成物は、固体形態、例えば、粉末、フレーク、顆粒、ペレット、錠剤、トローチ、パック、ブリケット、ブリック、または当業者に公知である別の固体形態にある、洗剤または洗浄組成物を指す。用語「固体洗剤」は、固体洗剤組成物の貯蔵および使用の想定される条件下での洗剤組成物の状態を指すことを理解されたい。一般に、洗剤組成物は、室温から約１２０°Ｆまでの温度で供給されたときに固体のままであろうと予想される。
【００５９】
固体洗剤組成物は、約１グラムから約１１，０００グラムの間のサイズを有するパッケージで１つまたは複数の固体が利用できるように、圧縮固体ブロック、注型固体ブロック、押出ペレットまたはブロック、または錠剤として提供することができる。
【００６０】
固体洗剤組成物は、単位用量の形態で提供されてもよい。単位用量は、全体の単位が１回の洗浄サイクルで使用されるようなサイズの固体洗剤組成物単位を指す。固体洗剤組成物が単位用量として提供されるとき、それは好ましくは、約１グラム〜約５０グラムの間のサイズを有する圧縮固体、注型固体、押出ペレット、または錠剤として提供される。代替的に、圧縮固体、注型固体、押出ペレット、または錠剤は、５０グラムから２５０グラムまでの間のサイズを有し得る。押出成形、注型成形、または圧縮成形された固体は、約１００グラム以上の重量を有し得る。本発明の実施形態によれば、固体洗剤組成物は好ましくは圧縮固体である。
【００６１】
固体洗剤組成物はまた、ブロックまたはペレットのような多用途固体の形態で提供されてもよく、複数回の洗浄サイクルのために水性洗剤組成物、例えば使用溶液を生成するために繰り返し使用され得る。
【００６２】
典型的には、本明細書に開示されるような固体洗剤組成物は、水溶液と接触すると迅速かつ完全に溶解して安定な使用溶液になる。本発明のいくつかの態様において、固体洗剤組成物に用いられるアニオン性界面活性剤の量および型は、特定の分注速度に対して所望の溶解速度をもたらす。安定使用溶液は、目視検査で固体を一切含まない。
【００６３】
圧縮固体洗剤ブロックは、組成物中の反応性構成成分が希釈および／または使用の時点まで互いに反応しないように安定性をもたらすのに適したものにされる。いくつかの態様において、固体を形成するために構成成分を導入する順序は、固体組成物中に導入される水が最小限であるかおよび／または全く存在しないため、非限定的である。しかしながら、いくつかの局面において、圧縮固体洗剤ブロックは、使用され得る被覆顆粒に対するあらゆる損傷を最小限にするために結合システムを使用することによって製造される。
【００６４】
有益には、圧縮固体洗剤ブロックを製造するための圧縮プロセスは、構成成分の反応または混合を防止する。本発明の一態様において、固体洗剤組成物の種々の構成成分は、使用時点、例えば希釈まで、未反応または未混合のままである。
【００６５】
圧縮固体のプロセスにおいて、粒状固体または結合剤を含む他の粒状固体などの流動性固体を加圧下で混合する。圧縮固体のプロセスにおいて、組成物の流動性固体を型（例えば型または容器に入れて流動性固体をその型に静かに圧縮して固体洗浄ブロックまたは他のフォーマットを製造する。
【００６６】
本方法は、固体洗浄ブロックを製造するための硬化ステップをさらに含み得る。本明細書で言及されるとき、流動性固体を含む硬化されていない組成物は、硬化されていない組成物が安定した固体組成物へと固化するであろう流動性固体を構成する粒子間に、十分な表面接触を提供するように圧縮される。十分な量の互いに接触している粒子（例えば、顆粒）は、安定した固体組成物を作製するために効果的な粒子の互いへの結合を提供する。硬化ステップの包含は、プレスされた固体が、例えば、数時間または約１日間（またはそれ以上）の期間、固化することを可能にすることを含んでもよい。追加的な態様では、本方法は、例えば、その全体が参照により本明細書に組み込まれる米国特許第８，８８９，０４８号に開示される方法などの、流動性固体を型枠または型内で振動させることを含んでもよい。
【００６７】
圧縮固体の使用は、錠剤圧縮における高圧もしくは著しい量のエネルギーを消費する組成物の溶融を必要とする注型を必要とする、ならびに／または高価な設備および高度な技術知識を必要とする押出による、従来の固体ブロックまたは錠剤組成物を上回る、多くの利益を提供する。圧縮固体は、そのような様々な他の固体配合物の制限を克服し、したがって、新規の圧縮固体洗浄組成物を製造する必要性が存在する。さらに、圧縮固体ブロックは、押出されたものよりもより一貫して魅力的な外観を有し、したがって、圧縮固体洗剤ブロックは、識別および使用の管理のために種々の形状の固体ブロックを形成し得る。それらは、ブロックが保管または取り扱われ得る条件下でその形状を保持し得る。一般に、洗剤組成物は、約１２０°Ｆまでの温度で供給されたときに固体のままであろうと予想される。
【００６８】
いくつかの状況において、圧縮ブロックを製造する方法は、組成物から水を減少させるかまたは除去する。好ましくは、組成物は無水形態の構成成分を用いて形成される。いくつかの他の状況において、組成物は、約１０重量％未満、約５重量％未満、約１重量％未満、約０．１重量％未満、約０．０５重量％未満の含水量を有し、最も好ましくは水を含まない（例えば乾燥）。一態様において、乾燥組成物は顆粒の形態であり得る。対照的に、注型または押出成形された固体洗剤ブロックは、しばしば約２０〜約４０重量％の水を有することができる。したがって、組成物からの水分の除去または減少のために圧縮固体ブロックが好ましく、アルカリ源のいくつかは凝固機構として使用されない。
【００６９】
本発明の粒状構成成分は顆粒および／またはフレークの形態であり得るが、好ましくは規則的な小さい顆粒の形態で存在する。その後、顆粒を使用して固体洗剤ブロックを形成する。凝固プロセスは、形成されたまたは注型された組成物のサイズ、組成物の成分、および組成物の温度を含むがこれらに限定されない要因に応じて、数秒から数時間続くことがある。
【００７０】
固体洗剤組成物は、バッチまたは連続混合システムを使用して形成されてもよい。押出ブロックを製造するために、洗剤組成物の粉末と液体を混合して混合物を形成し、次いで混合した混合物を、型を通して圧縮して製品を形成し、次いで製品を時間とともに硬化して押出固体ブロックにする。一軸または二軸押出機を使用して、高せん断で１つまたは複数の洗浄剤を組み合わせて混合し、均質な混合物を形成して押出ブロックを製造する。圧縮固体ブロックを製造するために、固体粉末および／または洗剤組成物の他の液体成分を単に混合して混合粉末を形成し、次いでその混合粉末を型に流し込み、そして固体洗剤ブロックに圧縮する。概して、本発明の方法により加工される固体洗剤ブロックは、その物質全体を通して成分の分布に関して実質的に均質であり、かつ寸法的に安定である。
【００７１】
いくつかの実施形態において、本開示の固体洗剤組成物は、約５グラム〜１０キログラムの質量を有する圧縮固体ブロックとして提供される。ある特定の実施形態において、圧縮固体洗剤ブロックは、約１〜約１０キログラムの質量を有する。さらなる実施形態において、固体洗剤組成物のブロックは、約５キログラム〜約８キログラムの質量を有する。他の実施形態において、固体洗剤組成物のブロックは、約５グラム〜約１キログラムの間、または約５グラム〜約５００グラムの間の質量を有する。
【００７２】
固体洗剤ブロックの分注速度
本明細書で使用されるとき、用語「分注速度」は、ブロックが分注ユニット、例えばＥｃｏｌａｂ，Ｉｎｃ．によって製造されたＡｐｅｘ  Ｄｉｓｐｅｎｓｅｒに適切に配置され、分注器のメカニズムを通して一定期間水との接触に供されるときにブロックが被り得る質量損失または化学損失の数として表される量を指す。この期間は「分注期間」と呼ばれ、その間に一定の温度と圧力を持つ水がその表面の１つでブロックと連続的かつ定常的に接触し、ブロックの構成成分を水に溶かし去り、例えば、洗浄および消毒用途の使用溶液とする。本明細書に開示されている固体洗剤ブロックを分注するためには、様々な分注器が適している。分注器は特定の寸法と形状のブロックを使用し、特定の温度と圧力の水を供給するように設計され得る。水温の範囲は典型的には約５０°Ｆから約１６０°Ｆであり、水圧の範囲は約２０ｐｓｉから約１００ｐｓｉであり、好ましくは、約９０°Ｆから約１４０°Ｆの温度および約２０ｐｓｉから約６０ｐｓｉの水圧である。
【００７３】
いくつかの態様において、固体洗剤ブロックは、分注速度が、６０秒の分注期間、ならびに約２０ｐｓｉから約５０ｐｓｉの圧、および９０°Ｆから約１４０°Ｆの温度を用い、分注器用に設計された寸法および形状を有する固体ブロックを用いるスプレー型分注器によって測定されるとき、１サイクル当たり約２０〜約１２０ｇの分注速度を有することができる。
【００７４】
他の態様において、固体洗剤ブロックは、分注速度が、６０秒の分注期間、ならびに約２０ｐｓｉの圧、および９０°Ｆから約１４０°Ｆの温度を用い、分注器用に設計された寸法および形状を有する固体ブロックを用いるスプレー型分注器によって測定されるとき、１サイクル当たり約３０〜約７５ｇの分注速度を有することができる。
【００７５】
さらに他の態様において、固体洗剤ブロックは、分注速度が、６０秒の分注期間、ならびに約２０ｐｓｉから約５０ｐｓｉの圧、および約９０°Ｆの温度を用い、分注器用に設計された寸法および形状を有する固体ブロックを用いるスプレー型の分注器によって測定される場合、サイクル当たり約２０〜約６０ｇの分注速度を有することができ。
【００７６】
日常使用の多くの態様において、使用者は分注器の分注ボタンを押して給水を作動させて使用溶液を得る。使用溶液の量は、分注ボタンが押されている時間によって決まる。分注ボタンを押すと必ず固体ブロックの構成成分が水に溶解するので、固体ブロックは次第に小さくなる。固体ブロックが完全に消費されるとき、新しい固体ブロックを分注器に配置する。いくつかの場合において、既存のブロックが消費される前に１つ以上の新しい固体ブロックを追加して製品の使用可能性を確保することができる。
【００７７】
本明細書において使用されるような分注速度が決定されるとき、いくつかの実施形態における分注期間は、通常６０秒または９０秒であり、その後に９０秒の無分注期間が続く。分注期間とその後の無分注期間との組み合わせは、「分注サイクル」と呼ばれる。当業者には理解されるように、分注サイクルは、固体洗剤ブロックの使用の特定の用途、例えば、食器洗い、洗濯などによって変動する。ブロックの分注速度の決定中、各々のサイクル後に分注された質量は、ロードセルを用いてモニターされる。ロードセルは各々の分注サイクル後にブロックを計量し、それによって、各々のサイクルで分注された質量は分注サイクル間の重量差から得られる。この手順は、ブロックが消費されるか、ほとんど消費されるまで繰り返される。生の分注データは、複数のブロック（例えば、３つ以上の同一ブロック）についての重複測定値にわたる平均累積質量に変換される。次に累積質量を分注サイクル数に対してプロットし、統計ソフトウェアツール（Ｍｉｎｉｔａｂ，Ｉｎｃ．から入手可能なＭｉｎｉｔａｂ  １７（登録商標）など）の標準的な手順を使用して直線にフィットさせる。
【００７８】
分注器を使用してブロックの分注速度を決定するとき、ノズルおよび分注プレートを通る水は、一定の温度および圧力で、圧縮固体洗剤ブロックの底面に当たり、ブロックの構成成分を使用溶液中に溶解する。固体洗剤組成物の使用の例示的な用途において、少なくとも９０°Ｆ、１１５°Ｆ、または１４０°Ｆの温度の水を使用することができる。水に対して少なくとも２０ｐｓｉ、３５ｐｓｉ、または５０ｐｓｉの圧力をそれぞれ使用することもできる。様々な型の水を使用することができる。いくつかの態様において、１ガロンあたり０、５、１７、またはそれ以上のグレーン（ｇｐｇ）を有する水道水または都市用水が使用される。
【００７９】
一実施形態によれば、固体洗剤ブロックの分注速度は、固体洗剤組成物を製造する組成および方法によって影響を受ける。しかし、組成や製造方法によって、固体ブロックの分注速度を排他的に決定することはない。分注器の構造と動作メカニズム、水質、水温、水圧、およびその他の要因もブロックの分注速度に影響する。同一の分注器、配送メカニズム、そして水質を仮定すると、ブロックの分注速度はその寸法と形状によっても影響を受け、これはまた、ブロックの表面が分注器によって供給される水とどのように接触するようになるかを決定も決定する。換言すると、本明細書において使用されている分注速度を使用して、ブロック自体の特性を別のブロックと比較するには、同一の分注器、試験手順、水だけでなく、同一の寸法と形状のブロックを使用する必要がある。
【００８０】
当業者には明らかなように、１つの固体形態の既存の固体洗剤組成物用に設計された分注器は、圧縮固体ブロックが分注速度において既存のブロックと一致しない場合、少なくともいくらかの調節なしに新規の圧縮固体ブロックに対して同等の分注範囲を提供できない。既存のブロックを押出されたものと交換するために、新しい分注器を入手するかまたは既存の分注器を調節するためのコストは、ブロックを切り替えるというユーザの決定に影響を及ぼし得る。有益には、本明細書に開示されている方法、プロセス、および組成物は、新しい固体洗剤ブロックの分注速度を所定のまたは所望の分注速度と同等になるように調節するための配合の変更を可能にする。
【００８１】
代替的に、所与の分注器において、その組成によってブロックの分注速度を制御する方法も経済的に意味がある。同一または既存の分注器は、使用するブロックを変更するだけで、種々の目的のために使用することができる。分注器を仮定すると、使用者の溶液の濃度はブロックの分注速度の影響を受ける。
【００８２】
一態様において、既存の組成物から製造された既存の固体洗剤ブロックの分注速度を調節する方法であって、（ａ）固体アニオン性界面活性剤を含む第１の固体とアルカリ源を含む第２の固体とを混合して固体混合物を得ることと、（ｂ）固体混合物を固体圧縮プロセスで圧縮して固体ブロックを形成することとを含む方法が本明細書において開示され、ここでアルカリ源は、一つ又は複数のアルカリ化合物を含む。製造された固体ブロックは、第１の固体を含まない既存の組成物から製造された固体ブロックの分注速度と比較して、異なる分注速度を有する。第２の固体はそれ自体で完全な固体洗剤組成物であり得る。
【００８３】
別の態様において、圧縮固体洗剤ブロックであって、（ａ）固体アニオン性界面活性剤を含む第１の固体とアルカリ源を含む第２の固体とを混合して固体混合物を得ることと、（ｂ）固体混合物を固体圧縮プロセスによって圧縮して固体ブロックを形成することとを含むプロセスによって製造される圧縮固体洗剤ブロックが本明細書において開示され、ここでアルカリ源は、一つ又は複数のアルカリ化合物を含み、固体ブロックは、所定の分注速度を有する。
【００８４】
さらに別の態様において、（ａ）アニオン性界面活性剤を含む第１の固体と、（ｂ）アルカリ源を含む第２の固体とを含む固体洗剤ブロック組成物が本明細書において開示され、ここでアルカリ源は、一つ又は複数のアルカリ化合物を含み、第１の固体と第２の固体は、混合されて固体圧縮プロセスによって圧縮されて固体ブロックを製造する。
【００８５】
アニオン性界面活性剤
洗剤組成物の固体洗剤ブロックの分注速度を調節する方法、所定の分注速度を有する固体洗剤ブロックを製造するプロセス、または、本開示による圧縮固体組成物は、有効量の一つ又は複数のアニオン性界面活性剤を含む。
【００８６】
アニオン性界面活性剤は、疎水性物質の電荷が負である活性物質、またはｐＨが中性もしくはそれ以上に上昇しなければ分子の疎水性部分が電荷を持たない界面活性剤（例えば、カルボン酸）である。カルボキシレート、スルホネート、サルフェートおよびホスフェートは、アニオン性界面活性剤中に見出される極性（親水性）可溶化基である。これらの極性基を伴うカチオン（対イオン）のうち、ナトリウム、リチウム、およびカリウムは、水溶性を付与し、アンモニウムおよび置換アンモニウムイオンは、水溶性および油溶性の両方を提供し、カルシウム、バリウム、およびマグネシウムは、油溶性を促進する。当業者には理解される通り、アニオンは、優れた洗浄性界面活性剤であるため、重質洗剤組成物への好ましい添加物である。
【００８７】
本発明の組成物において使用するのに好適なアニオン性サルフェート界面活性剤としては、アルキルエーテルサルフェート、アルキルサルフェート、直鎖および分岐の、第一級および第二級のアルキルサルフェート、アルキルエトキシサルフェート、脂肪オレイルグリセロールサルフェート、アルキルフェノールエチレンオキシドエーテルサルフェート、Ｃ５−Ｃ１７アシル−Ｎ−（Ｃ１−Ｃ４アルキル）および−Ｎ−（Ｃ１−Ｃ２ヒドロキシアルキル）グルカミンサルフェート、ならびにアルキルポリグルコシドのサルフェートなどのアルキル多糖類のサルフェートなどが挙げられる。また、アルキルサルフェート、アルキルポリ（エチレンオキシ）エーテルサルフェート、ならびにエチレンオキシドおよびノニルフェノール（通常１分子当たり１〜６つのオキシエチレン基を有する）のサルフェートまたは濃縮生成物などの芳香族ポリ（エチレンオキシ）サルフェートも挙げられる。
【００８８】
本組成物において使用するのに好適な陰イオン性スルホネート界面活性剤としてはまた、アルキルスルホネート、直鎖および分岐第一級および第二級アルキルスルホネート、ならびに置換基を有するかまたは有しない芳香族スルホネートが挙げられる。
【００８９】
本発明における使用に好適なアニオン性カルボキシレート界面活性剤としては、カルボン酸（および塩）、例えば、アルカン酸（およびアルカノエート）、エステルカルボン酸（例えば、アルキルスクシネート）、エーテルカルボン酸、スルホン化脂肪酸、例えば、スルホン化オレイン酸などが挙げられる。かかるカルボキシレートとしては、アルキルエトキシカルボキシレート、アルキルアリールエトキシカルボキシレート、アルキルポリエトキシポリカルボキシレート界面活性剤、および石鹸（例えば、アルキルカルボキシル）が挙げられる。本組成物において有用な第二級カルボキシレートとしては、第二級炭素に接続されたカルボキシル単位を含有するものが挙げられる。第二級炭素は、例えば、ｐ−オクチル安息香酸におけるように、またはアルキル置換シクロヘキシルカルボキシレートにおけるように、環構造にあってもよい。第二級カルボキシレート界面活性剤は、典型的には、エーテル結合、エステル結合、およびヒドロキシル基を含有しない。さらに、それらは、典型的には、頭部基（両親媒性部分）内に窒素原子を欠く。好適な第二級石鹸界面活性剤は、典型的には１１〜１３個の全炭素原子を含有するが、より多くの炭素原子（例えば、最大１６個）が存在してもよい。好適なカルボキシレートとしてはまた、アシルアミノ酸（および塩）、例えば、アシルグルタメート、アシルペプチド、サルコシネート（例えば、Ｎ−アシルサルコシネート）、タウレート（例えば、Ｎ−アシルタウレート、およびメチルタウリド（ｍｅｔｈｙｌ  ｔａｕｒｉｄｅ）の脂肪酸アミド）などが挙げられる。
【００９０】
好適なアニオン性界面活性剤は、以下の式のアルキルまたはアルキルアリールエトキシカルボキシレートを含む。
Ｒ−Ｏ−（ＣＨ２ＣＨ２Ｏ）ｎ（ＣＨ２）ｍ−ＣＯ２Ｘ  （３）
式中、Ｒは、Ｃ８〜Ｃ２２アルキル基または
【化１】
2019529678.tif 000003
であり、式中、Ｒ１は、Ｃ４〜Ｃ１６アルキル基であり、ｎは、１〜２０の整数であり、ｍは、１〜３の整数であり、Ｘは、水素、ナトリウム、カリウム、リチウム、アンモニウムなどの対イオンか、またはモノエタノールアミン、ジエタノールアミン、もしくはトリエタノールアミンなどのアミン塩である。いくつかの実施形態では、ｎは、４〜１０の整数であり、ｍは、１である。いくつかの実施形態では、Ｒは、Ｃ８ーＣ１６アルキル基である。いくつかの実施形態では、ＲはＣ１２ーＣ１４アルキル基であり、ｎは、４であり、ｍは、１である。
【００９１】
他の実施形態では、Ｒは、
【化２】
2019529678.tif 000004
であり、Ｒ１は、Ｃ６ーＣ１２アルキル基である。さらにまた他の実施形態では、Ｒ１は、Ｃ９アルキル基であり、ｎは、１０であり、ｍは、１である。
【００９２】
そのようなアルキルおよびアルキルアリールエトキシカルボキシレートは、市販されている。これらのエトキシカルボキシレートは、典型的には、酸の形態として入手可能であり、それらは、陰イオン性または塩の形態に容易に変換され得る。市販のカルボキシレートとしては、Ｎｅｏｄｏｘ  ２３−４、Ｃ１２〜１３アルキルポリエトキシ（４）カルボン酸（Ｓｈｅｌｌ  Ｃｈｅｍｉｃａｌ）、およびＥｍｃｏｌ  ＣＮＰ−１１０、Ｃ９アルキルアリールポリエトキシ（１０）カルボン酸（Ｗｉｔｃｏ  Ｃｈｅｍｉｃａｌ）が挙げられる。カルボキシレートはまた、例えば、製品Ｓａｎｄｏｐａｎ（登録商標）ＤＴＣ、Ｃ１３アルキルポリエトキシ（７）カルボン酸など、Ｃｌａｒｉａｎｔから入手可能である。
【００９３】
研究および実験を通して、出願人らは、驚くべきことに、元の圧縮固体洗剤組成物に固体のアニオン性界面活性剤を添加すると、圧縮固体洗剤ブロックの分注速度を変えることができることを見出した。出願人らはまた、使用されるアニオン性界面活性剤の量および／または型に応じて、圧縮固体ブロックの分注速度を増減できることを発見した。より重要なことには、圧縮された固体洗剤ブロックの分注速度は、異なる量および／または種類のアニオン性界面活性剤を使用することによって所定の値に調節され得る。したがって、アニオン性界面活性剤を含む固体とアルカリ源および他の洗剤成分を含む別の固体との混合物を圧縮することによって、所定の分注速度を有する固体ブロックを製造することができる。さらに、固体洗剤組成物へのアニオン性界面活性剤の添加は、元の固体洗剤組成物の安定性または性能に悪影響を及ぼさない。
【００９４】
いくつかの実施形態において、開示される方法、プロセスまたは組成物から製造された圧縮固体洗剤ブロックは、約０．１重量％〜約２５重量％、１重量％〜約１０重量％、約３．５重量％〜約４．５重量％、２０重量％、約１５重量％、約１０重量％、約５重量％、約４重量％、約３重量％、約２重量％、約１重量％、約０．５重量％、または約０．２重量％。固体アニオン性界面活性剤を有する。
【００９５】
いくつかの実施形態において、開示される方法、プロセスまたは組成物のこの第１の固体は、一つ又は複数の固体アニオン性界面活性剤のみを含む。いくつかの他の実施形態において、第１の固体は、約９９重量％、９５重量％、８０重量％、７０重量％、６０重量％、５０重量％、４０重量％、３０重量％、２０重量％、１０重量％、約９０重量％〜約９９重量％、約８０重量％〜約８９重量％、約７０重量％〜約７９重量％、約６０重量％〜約６９重量％、約５０重量％〜約５９重量％、約４０重量％〜約４９重量％、約３０重量％〜約３９重量％、約２０重量％〜約２９重量％、または約１０重量％〜約１９重量％の固体アニオン性界面活性剤を含む。
【００９６】
いくつかの実施形態において、開示される方法、プロセスまたは組成物のアニオン性界面活性剤は、スルホネート、アルキルスルホネート、アルキルベンゼンスルホネート、アルキルアリールスルホネート、オレフィンスルホネート、スルホン化脂肪酸エステル、サルフェート、硫酸化アルコール、硫酸化アルコールエトキシレート、硫酸化アルキルフェノール、アルキルサルフェート、スルホスクシネート、アルキルエーテルサルフェート、リン酸エステル、アルキルリン酸エステル、カルボキシレート、アルキルカルボキシレート、ポリアルコキシカルボキシレート、アルコールエトキシレートカルボキシレート、ノニルフェノールエトキシレートカルボキシレート、またはそれらの２種以上の混合物である。いくつかの他の実施形態において、開示される方法、プロセス、または組成物のアニオン性界面活性剤は、アルキルアリールスルホネート、アルファオレフィンスルホネート、脂肪アルコールサルフェート、アルキルサルフェート、アルキルベンゼンサルフェート、スルホスクシネート、硫酸化アルキルフェノール、アルキルエーテルサルフェート、またはそれらの２種以上の混合物である。
【００９７】
いくつかの実施形態において、開示の方法、プロセス、または組成物のアニオン性界面活性剤は、アルファオレフィンサルフェート、直鎖アルキルベンゼンサルフェート、および分岐鎖アルキルベンゼンサルフェートからなる群から選択される一つ又は複数のサルフェートである。いくつかの他の実施形態において、開示される方法、プロセス、または組成物のアニオン性界面活性剤は、式Ｒ１０ＳＯ３ＸまたはＲ１１Ｃ６Ｈ４ＳＯ３Ｘによって表される一つ又は複数のスルホネートであり、式中、Ｒ１０は、Ｃ８〜Ｃ２０アルキルもしくはアルケニル基、または好ましくはＣ１４〜Ｃ１６アルキルもしくはアルケニル基であり、Ｒ１１は、Ｃ１〜Ｃ１５アルキル、または好ましくはＣ１０〜Ｃ１３アルキルであり、Ｘは、Ｎａ＋、Ｋ＋、Ｌｉ＋、もしくはＮＨ４＋またはそれらの混合物である。さらなるいくつかの他の実施形態において、開示される方法、プロセス、または組成物のアニオン性界面活性剤は、式Ｒ１２ＣＨ＝ＣＨ２ＳＯ３Ｘによって表されるオレフィンスルホネートまたはそれらの２つ以上の混合物であり、式中、Ｒ１２は、Ｃ１０〜Ｃ１６アルキル、または好ましくはＣ１２〜Ｃ１４アルキルであり、ＸはＮａ＋、Ｋ＋、Ｌｉ＋、ＮＨ４＋、またはそれらの混合物である。いくつかの他の実施形態において、開示される方法、プロセス、または組成物のアニオン性界面活性剤は、式Ｒ１３Ｃ６Ｈ４ＳＯ３Ｘによって表される直鎖アルキルベンゼンスルホネートまたはそれらの２つ以上の混合物であり、式中、Ｒ１３は、Ｃ３〜Ｃ１０アルキル、または好ましくはＣ４〜Ｃ７アルキル、またはＣ１０〜Ｃ１３アルキルであり、ＸはＮａ＋、Ｋ＋、Ｌｉ＋、ＮＨ４＋、またはそれらの２つ以上の混合物である。
【００９８】
アルカリ性の源
本発明による方法、プロセス、または圧縮固体組成物は、有効量のアルカリ源を含む第２の固体を含む。次に、アルカリ源は一つ又は複数のアルカリ化合物を含む。一般に、有効量のアルカリ源は、少なくとも約８のｐＨを有する使用溶液を提供する量として検討されるべきである。使用溶液が約８〜約１０のｐＨを有するとき、それは弱アルカリ性と見なされ、ｐＨが約１２より大きいとき、使用溶液は苛性と見なすことができる。一般に、苛性アルカリ系使用組成物より安全であると考えられるので、使用溶液を弱アルカリ性洗浄組成物として提供することが望ましい。いくつかの実施形態において、開示される方法、プロセス、または組成物から製造される固体ブロックの使用溶液は、８超の、９超の、１０超の、１１超の、または好ましくは約９から約１１．５のｐＨを有する。
【００９９】
アルカリ源は、アルカリ金属炭酸塩、アルカリ金属水酸化物、アルカリ金属ケイ酸塩、またはそれらの混合物を含むことができる。使用可能な適切な金属炭酸塩は、例えば、炭酸、重炭酸、セスキ炭酸のナトリウムもしくはカリウム、またはそれらの混合物を含む。使用できる適切なアルカリ金属水酸化物は、例えば、水酸化ナトリウム、水酸化リチウム、または水酸化カリウムを含む。有用なアルカリ金属ケイ酸塩の例には、ケイ酸ナトリウムまたはケイ酸カリウム（２．４〜５：１のＭ２Ｏ：ＳｉＯ２比を有し、Ｍはアルカリ金属を表す）またはメタケイ酸塩が含まれる。アルカリ源は、ホウ酸ナトリウムまたはホウ酸カリウムなどのホウ酸金属塩なども含み得る。
【０１００】
アルカリ源には、エタノールアミン、硫酸尿素、アミン、アミン塩、および四級アンモニウムも含まれ得る。最も単純なカチオン性アミンであるアミン塩および四級アンモニウム化合物は、以下のように概略的に描写され得、
【化３】
2019529678.tif 000005
式中、Ｒは、長アルキル鎖を表し、Ｒ’、Ｒ’’、およびＲ’’’は、長アルキル鎖またはより小さいアルキルもしくはアリール基または水素のいずれかであってもよく、Ｘは、アニオンを表す。
【０１０１】
アルカリ源は固体の形態で組成物に添加することができる。アルカリ金属水酸化物は、約１２〜１００のＵＳメッシュの２５からの範囲の混合した粒子サイズを有する、小球化されたビーズまたはビーズの形態の固体として市販されている。例えば、アルカリ金属水酸化物は、例えば固体ビーズの形態を含む様々な固体形態で固体洗剤組成物に添加することができる。アルカリ金属水酸化物は市販されている。
【０１０２】
本発明の圧縮固体洗剤ブロックは、第２の固体中に１、２またはそれ以上のアルカリ性化合物を含み、各々の化合物はそれ自体で固体であり得る。代替的に、２種以上のアルカリ化合物はそれらの混合物の１つの固体である。いくつかの態様において、２種のアルカリ構成成分が圧縮固体洗剤に使用されている。他の態様において、単一のアルカリが圧縮固体洗剤に使用される。
【０１０３】
圧縮固体洗剤ブロックは、使用組成物に少なくとも約８のｐＨを与えるのに十分な量のアルカリ源を含むことができる。アルカリ源は、好ましくは、基材の洗浄を増強しそして組成物の汚れ除去性能を改善する量である。一般に、濃縮物は少なくとも約５重量％、少なくとも約１０重量％、または少なくとも約１５重量％の量でアルカリ源を含むと予想される。圧縮固体洗剤組成物は、約１０重量％〜約９５重量％、好ましくは約１５重量％〜約７０重量％、約２０重量％〜約６０重量％、さらにより好ましくは約７０重量％〜約９５重量％のアルカリ源を含み得る。
【０１０４】
本出願の固体ブロック中の他の構成成分に対して十分な余地を提供するために、アルカリ源は約６０重量％未満の量で濃縮物中に提供され得る。さらに、アルカリ源は、約４０重量％未満、約３０重量％未満、または約２０重量％未満のレベルで提供することができる。
【０１０５】
いくつかの実施形態において、開示された組成物、プロセス、または方法から製造された圧縮固体洗剤ブロックは、約５０重量％〜約９５重量％、７５重量％〜約９５重量％、約９５重量％、約９０重量％、８５重量％、約８０重量％、約７５重量％、約７０重量％、約６５重量％、または約５０重量％のアルカリ源を有する。
【０１０６】
いくつかの実施形態において、開示される方法、プロセス、または組成物のこの第２の固体は、一つ又は複数の固体アルカリ化合物のみを含む。いくつかの他の実施形態において、第２の固体は、約９９重量％、９５重量％、８０重量％、７０重量％、６０重量％、５０重量％、４０重量％、３０重量％、２０重量％、１０重量％、約９０重量％〜約９９重量％、約８０重量％〜約８９重量％、約７０重量％〜約７９重量％、約６０重量％〜約６９重量％、約５０重量％〜約５９重量％、約４０重量％〜約４９重量％、約３０重量％〜約３９重量％、約２０重量％〜約２９重量％、または約１０重量％〜約１９重量％の固体アルカリ化合物を含む。
【０１０７】
いくつかの他の実施形態において、開示される方法、プロセス、または組成物の第２の固体は、アルカリ源に加えて固体洗剤組成物の他の全ての成分、例えば酵素および他の機能性成分を含み得る。
【０１０８】
いくつかの実施形態において、開示される方法、プロセス、または組成物の一つ又は複数のアルカリ化合物は、アルカリ金属炭酸塩、アルカリ金属メタケイ酸塩、アルカリ金属重炭酸塩、アルカリ金属セスキ炭酸塩、水酸化アルカリ、ケイ酸塩、メタケイ酸塩、尿素硫酸塩、アミン、アミン塩、四級アンモニア、それらの水和物、またはそれらの２種以上の混合物である。いくつかの他の実施形態において、開示される組成物の一つ又は複数のアルカリ化合物はアルカリ金属炭酸塩であり、少なくとも約８．５、約８、約９、約１０、約１１、または約１２の使用溶液のｐＨを提供する。さらにいくつかの他の実施形態において、開示される発明の一つ又は複数のアルカリ化合物は、アルカリ炭酸塩、炭酸ナトリウム、アルカリ重炭酸塩、および炭酸水素ナトリウムからなる群から選択される一つ又は複数である。
【０１０９】
他の実施形態において、開示される方法、プロセス、または組成物の第２の固体は、アルカリ金属炭酸塩、アルカリ金属重炭酸塩固体、炭酸水素ナトリウム固体、またはそれらの一つ又は複数の混合物である。いくつかの他の実施形態において、開示される発明の第２の固体は炭酸ナトリウムと固体炭酸水素ナトリウムの混合物である。
【０１１０】
いくつかの他の実施形態において、開示される方法、プロセス、または組成物の第１または第２の固体は、独立して粉末、フレーク、粒子状、結晶性固体、無定形固体、またはそれらの混合物である。いくつかの他の実施形態において、開示される方法、プロセス、または組成物の第１の固体は、それぞれが一つ又は複数のアニオン性界面活性剤を含む２種以上の固体の混合物である。さらにいくつかの他の実施形態において、開示される方法、プロセス、または組成物の第１の固体は、一つ又は複数のアニオン性界面活性剤を含む単一の固体である。
【０１１１】
いくつかの実施形態において、開示される方法、プロセス、または組成物の第２の固体は、それぞれが一つ又は複数のアルカリ化合物またはそれらの水和物を含む２種以上の固体の混合物である。いくつかの他の実施形態において、開示される方法、プロセス、または組成物の第２の固体は、一つ又は複数のアルカリ化合物またはそれらの水和物を含む単一の固体である。
【０１１２】
圧縮固体洗剤の分注速度
いくつかの態様において、開示される方法、プロセス、組成物から製造された圧縮固体洗剤ブロックは、６０秒の分注期間、ならびに約２０ｐｓｉから約５０ｐｓｉの圧、および９０°Ｆから約１４０°Ｆの温度を用い、分注器用に設計された寸法および形状を有する固体ブロックを用いるスプレー型分注器を使用するとき、１サイクル当たり約２０〜約１２０ｇの分注速度を有することができる。スプレー型の分注器は、底部に空隙を有するノズルを有し、固体洗剤ブロックの化学物質を侵食／溶解するのに有効な扇形パターンを作り出す。溶液は重力によって基部の漏斗に流れ、使用容器（流し台、浴槽の瓶など）に向けられる。スプレー分注器の例には、Ｅｃｏｌａｂ  ＡＰＥＸファミリー、Ｅｃｏｌａｂ  ＳｏｌｉｔｒｏｎまたはＷａｓｈＭａｘ分注器、Ｋｎｉｇｈｔ  Ｓｉｎｋ  ＢｏｗｌおよびＰｏｗｅｒ  Ｂｏｗｌ、ならびに他の多くの市販のものが含まれる。
【０１１３】
いくつかの態様において、開示される方法、プロセス、または組成物から製造された圧縮固体洗剤ブロックは、６０秒の分注期間、ならびに約２０ｐｓｉの圧、および９０°Ｆから約１４０°Ｆの温度を用い、分注器用に設計された寸法および形状を有する固体ブロックを用いるスプレー型分注器を使用するとき、１サイクル当たり約３０〜約７５ｇの分注速度を有することができる。
【０１１４】
いくつかの態様において、開示される方法、プロセス、組成物から製造された圧縮固体洗剤ブロックは、６０秒の分注期間、ならびに約２０ｐｓｉから約５０ｐｓｉの圧、および約９０°Ｆの温度を用い、分注器用に設計された寸法および形状を有する固体ブロックを用いるスプレー型分注器を使用するとき、１サイクル当たり約２０〜約６０ｇの分注速度を有することができる。
【０１１５】
いくつかの実施形態において、開示される方法、プロセス、または組成物から製造された圧縮固体洗剤ブロックは、本質的に同様の組成を有する押出固体ブロックと本質的に同一の分注速度を有する。他の実施形態において、開示される方法、プロセス、または組成物から製造された圧縮固体洗剤ブロックは、本質的に同様の組成を有する注型固体ブロックと本質的に同一の分注速度を有する。
【０１１６】
いくつかの実施形態において、開示される方法、プロセス、または組成物から製造された圧縮固体洗剤ブロックは、約１０重量％、９重量％、８重量％、７重量％、６重量％、５重量％、４重量％、３重量％、２重量％、１重量％、０．７重量％、０．５重量％、０．３重量％、０．１重量％、０．０５重量％未満の含水量を有する。いくつかの他の実施形態において、開示される方法、プロセス、または組成物から製造された圧縮固体洗剤ブロックは、約０．１〜約１０重量％、約０．１〜約５重量％、約０．１〜約３重量％、約１〜約８重量％、約５〜約１０重量％、約５〜約１５重量％、または約５〜約１５重量％の含水量を有する。一態様において、乾燥組成物は顆粒の形態であり得る。対照的に、注型または押出成形された固体洗剤ブロックは、約１０〜約４０重量％の水を有することができる。
【０１１７】
本明細書において使用されるとき、「本質的に同一（または同等の）分注速度」は、同一の手順、条件、および機器によって測定された基準分注速度の、約５〜１０％以内、約１０％以内、約９％以内、約８％以内、約７％以内、約６％以内、または好ましくは約５％以内、約４％以内、約３％以内、約２％以内、または約１％以内である分注速度を指す。本質的に同一または同等の分注速度を決定するために、比較されるブロックは同一の形状および寸法を有する。
【０１１８】
本明細書において使用されるとき、「本質的に同様の組成物」は、異なる量の第１の固体の添加を除いて他の全てが同一である組成物、またはアルカリ化合物の重量パーセントが基準組成物のものの１０％以内である組成物を指す。本質的に同様の組成物はまた、全ての活性洗剤および他の機能性成分を含むが、その含水量を含まないか、または低減されたもしくは完全な含水量を有する洗剤組成物を指す場合もある。比較されるブロックは同一の形状と寸法を有する。
【０１１９】
追加の機能性構成成分
いくつかの実施形態において、開示される方法、プロセス、または組成物のブロックは追加の成分を含む。これらの成分は固体形態であり得、したがってそれらを第１の固体、第２の固体のいずれかまたは両方と混合することによりブロックを製造するために添加され得る。これらの成分は液体形態でもあり得、そして第１の固体、第２の固体のいずれかまたは両方のいずれかに噴霧することによって開示される組成物に添加され得る。液体成分はまた、当業者が理解するように、それらの固体の製造中に他の手段によって第１または第２の固体と混合することができる。
【０１２０】
いくつかの実施形態において、アルカリ源およびアニオン性界面活性剤は、例えば、内部に配置された追加の機能性成分がほとんどまたは全くない実施形態においては、洗剤ブロックの総重量の大部分、または実質的に全てを構成する。これらの実施形態においては、洗剤ブロックについて上記で提供された構成成分の濃度範囲は、洗剤ブロック中のそれらの同一の構成成分の範囲の代表である。いくつかの他の実施形態において、追加の機能性成分が洗剤ブロックの総重量のいくらかの量を構成する。
【０１２１】
機能性成分は、組成物に所望の特性および機能性を提供する。本出願の目的において、用語「機能性成分」は、使用および／または濃縮溶液中に、例えば水溶液中に分散または溶解されるとき、特定の使用において有益な特性を提供する成分を含む。機能性成分のいくつかの特定の例は、以下により詳細に論じられるが、論じられている特定の物質は、単に例として与えられており、多様な他の機能性成分が使用されてもよい。例えば、下記に論じられる機能性成分の多くは、洗浄用途において使用される物質に関する。しかしながら、他の実施形態は、他の用途における使用のための機能性成分を含んでもよい。
【０１２２】
例示的な追加の機能性成分としては、例えば、洗剤ビルダー、キレート剤、イオン析出防止剤（ｔｈｒｅｓｈｏｌｄ  ａｇｅｎｔ）、結晶改質剤、硬化剤、漂白剤、充填剤、消泡剤、再付着防止剤、安定剤。分散剤、酵素、ガラスおよび金属腐食防止剤、香料および染料、増粘剤などのビルダーまたは水質改質剤を含む。適切な追加の機能性成分のさらなる説明は、参照によりその全体が本明細書に組み込まれる米国特許出願第１２／９７７，３４０号に記載されている。
【０１２３】
いくつかの実施形態において、開示される方法、プロセス、または組成物から製造されたブロックは、酵素、酸化剤、ペルオキシ酸およびその初期化剤、消毒剤、消泡剤、再付着防止剤、漂白剤、溶解度調整剤、分散剤、イオン析出防止剤、結晶改質剤、結合剤、リンス助剤、ポリマー、金属保護剤、安定剤、腐食防止剤、金属イオン封鎖剤および／またはキレート剤、香料および／または染料、レオロジー調整剤または増粘剤、非イオン性界面活性剤、カチオン性界面活性剤、両性界面活性剤、双性イオン性界面活性剤、ヒドロトロープまたはカプラー、ならびにそれらの組み合わせからなる群から選択される追加の機能性成分をさらに含む。
【０１２４】
非イオン性界面活性剤
有用な非イオン界面活性剤は、一般的に、有機疎水性基および有機親水性基の存在を特徴とし、典型的には、有機脂肪族、アルキル芳香族、またはポリオキシアルキレン疎水性化合物と、一般的には、エチレンオキシドまたはその多水和生成物（ｐｏｌｙｈｙｄｒａｔｉｏｎ  ｐｒｏｄｕｃｔ）、ポリエチレングリコールである親水性アルカリ性オキシド部分との縮合によって生成される。具体的には、反応性水素原子を有するヒドロキシル、カルボキシル、アミノ、またはアミド基を有する任意の疎水性化合物を、エチレンオキシド、もしくはその多水和添加剤、またはプロピレンオキシド等のアルコキシレンとのその混合物と縮合させて、非イオン表面活性剤を形成することができる。任意の特定の疎水性化合物と縮合する親水性ポリオキシアルキレン部分の長さは、親水性特性と疎水性特性との間の所望の程度のバランスを有する水分散性または水溶性化合物を生成するように、容易に調節され得る。有用な非イオン性界面活性剤としては、
開始剤反応性水素化合物としての、プロピレングリコール、エチレングリコール、グリセロール、トリメチロールプロパン、およびエチレンジアミン系のブロックポリオキシプロピレン−ポリオキシエチレンポリマー化合物が含まれる。開始剤の逐次的プロポキシル化およびエトキシル化から作製されるポリマー化合物の例は、ＢＡＳＦ  Ｃｏｒｐから市販されている。化合物の１つのクラスは、エチレンオキシドを、プロピレンオキシドをプロピレングリコールの２つのヒドロキシル基に付加することにより形成される疎水性塩基と縮合させることにより形成される、二官能性（２つの反応性水素）化合物である。分子のこの疎水性部分は、約１，０００から約４，０００の分子量を有する。次いで、エチレンオキシドは、この疎水性物質を親水基の間に挟み込むように付加され、最終的な分子の約１０重量％から約８０重量％を構成するように長さにより制御される。化合物の別のクラスは、プロピレンオキシドおよびエチレンオキシドのエチレンジアミンへの逐次的付加から得られる三官能性ブロックコポリマーである。プロピレンオキシドハイドロタイプ（ｈｙｄｒｏｔｙｐｅ）の分子量は、約５００から約７，０００の範囲であり；親水性のエチレンオキシドは、分子の約１０重量％から約８０重量％を構成するように付加される。
【０１２５】
直鎖もしくは分岐鎖構成の、または単一もしくは二重アルキル構成物質のアルキル鎖が約８〜約１８個の炭素原子を含有する１モルのアルキルフェノールの、約３〜約５０モルのエチレンオキシドとの縮合生成物。アルキル基は、例えば、ジイソブチレン、ジ−アミル、重合プロピレン、イソ−オクチル、ノニル、およびジ−ノニルにより代表され得る。これらの界面活性剤は、アルキルフェノールのポリエチレン、ポリプロピレン、およびポリブチレンオキシド縮合物であってもよい。この化学の商業的化合物の例は、Ｒｈｏｎｅ−Ｐｏｕｌｅｎｃ製のＩｇｅｐａｌ（登録商標）、およびＵｎｉｏｎ  Ｃａｒｂｉｄｅ製のＴｒｉｔｏｎ（登録商標）の商品名で市販されている。
【０１２６】
約６〜約２４個の炭素原子を有する、１モルの飽和または不飽和直鎖または分岐鎖アルコールの、約３〜約５０モルのエチレンオキシドとの縮合生成物。アルコール部分は、上述された炭素範囲内のアルコールの混合物からなり得るか、またはこの範囲内の特定の数の炭素原子を有するアルコールからなり得る。同様の商業的界面活性剤の例は、ＢＡＳＦ製のＬｕｔｅｎｓｏｌ（商標）、Ｄｅｈｙｄｏｌ（商標）、Ｓｈｅｌｌ  Ｃｈｅｍｉｃａｌ  Ｃｏ．製のＮｅｏｄｏｌ（商標）、およびＶｉｓｔａ  Ｃｈｅｍｉｃａｌ  Ｃｏ．製のＡｌｆｏｎｉｃ（商標）の商品名で入手可能である。
【０１２７】
約８〜約１８個の炭素原子を有する、１モルの飽和または不飽和直鎖または分岐鎖カルボン酸の、約６〜約５０モルのエチレンオキシドとの縮合生成物。酸部分は、上記に定義された炭素原子範囲内の酸の混合物からなり得るか、またはこの範囲内の特定の数の炭素原子を有する酸からなり得る。この化学の商業的化合物の例は、ＢＡＳＦ製のＤｉｓｐｏｎｉｌまたはＡｇｎｉｑｕｅ、およびＬｉｐｏ  Ｃｈｅｍｉｃａｌｓ，Ｉｎｃ．製のＬｉｐｏｐｅｇ（商標）の商品名で市販されている。
【０１２８】
一般にポリエチレングリコールエステルと呼ばれるエトキシル化カルボン酸に加えて、グリセリド、グリセリン、および多価（サッカリドまたはソルビタン／ソルビトール）アルコールとの反応により形成される他のアルカン酸エステルが、本発明において特別な実施形態への用途、特に間接的食品添加剤用途を有する。これらのエステル部分は全て、その分子上に、これらの物質の親水性を制御するためにさらなるアシル化またはエチレンオキシド（アルコキシド）付加に供され得る１つ以上の反応性水素部位を有する。これらの脂肪エステルもしくはアシル化炭水化物を、アミラーゼおよび／もしくはリパーゼ酵素を含有する本発明の組成物に追加する場合、不適合性の可能性があるため、注意しなければならない。
【０１２９】
非イオン性低発泡性界面活性剤の例は：
エチレンオキシドをエチレングリコールに追加して、指定される分子量の親水性物質を提供し、次にプロピレンオキシドを追加して、分子の外側（端部）上に疎水性ブロックを得ることによって、改質され、本質的に逆にされた（１）からの化合物を含む。分子の疎水性部分は、約１，０００から約３，１００の分子量を有し、中心の親水性物質は、最終的な分子の１０重量％から約８０重量％を含む。これらの反転Ｐｌｕｒｏｎｉｃｓ（商標）は、ＢＡＳＦ  ＣｏｒｐｏｒａｔｉｏｎによりＰｌｕｒｏｎｉｃ（商標）Ｒ界面活性剤の商標で製造されている。同様に、Ｔｅｔｒｏｎｉｃ（商標）Ｒ界面活性剤は、ＢＡＳＦ  Ｃｏｒｐｏｒａｔｉｏｎにより、エチレンオキシドおよびプロピレンオキシドのエチレンジアミンへの逐次的付加によって製造されている。分子の疎水性部分は、約２，１００から約６，７００の分子量を有し、中心の親水性物質は、最終的な分子の１０重量％から約８０重量％を含む。
【０１３０】
プロピレンオキシド、ブチレンオキシド、塩化ベンジル等の疎水性小分子；および１から約５個の炭素原子を含有する短鎖脂肪酸、アルコールまたはアルキルハロゲン化物；ならびにそれらの混合物との反応により発泡を低減するために、（多官能性部分の）末端ヒドロキシ基（複数可）を「キャッピング」または「端部ブロッキング」することにより改質された、グループ（１）、（２）、（３）および（４）からの化合物。また、末端ヒドロキシ基を塩化物基に変換する塩化チオニル等の反応物質も含まれる。末端ヒドロキシ基へのそのような修飾は、オールブロック、ブロック−ヘテリック、ヘテリック−ブロック、またはオールヘテリック非イオン性物質をもたらし得る。
【０１３１】
有効な低発泡性非イオン性物質の追加の例は、以下を含む。
次式
【化４】
2019529678.tif 000006
（式中、Ｒが、８〜９個の炭素原子のアルキル基であり、Ａが、３〜４個の炭素原子のアルキレン鎖であり、ｎが、７〜１６の整数であり、ｍが、１〜１０の整数である）によって表される、１９５９年９月８日にＢｒｏｗｎらに発行された米国特許第２，９０３，４８６号。
【０１３２】
末端疎水性鎖の分子量、中間疎水性単位の分子量、および連結親水性単位の分子量がそれぞれ縮合物の約３分の１を占める、交互親水性オキシエチレン鎖および疎水性オキシプロピレン鎖を有する、１９６２年８月７日にＭａｒｔｉｎらに対して発行された米国特許第３，０４８，５４８号のポリアルキレングリコール縮合物。
【０１３３】
一般式Ｚ［（ＯＲ）ｎＯＨ］ｚ（式中、Ｚは、アルコキシル化可能な材料であり、Ｒは、エチレンおよびプロピレンであってもよいアルキレンオキシドから得られるラジカルであり、ｎは、例えば、１０から２，０００またはそれ以上の整数であり、ｚは、反応性オキシアルキル化可能な基の数により決定される整数である）を有する、１９６８年５月７日にＬｉｓｓａｎｔらに対して発行された米国特許第３，３８２，１７８号において開示されている消泡性非イオン性界面活性剤。
【０１３４】
式Ｙ（Ｃ３Ｈ６Ｏ）ｎ（Ｃ２Ｈ４Ｏ）ｍＨ（式中、Ｙは、約１から６個の炭素原子および１個の反応性水素原子を有する有機化合物の残基であり、ｎは、ヒドロキシル価により決定されるような少なくとも約６．４の平均値を有し、ｍは、オキシエチレン部分が分子の約１０重量％から約９０重量％を構成するような値を有する）に対応する、１９５４年５月４日にＪａｃｋｓｏｎらに対して発行された米国特許第２，６７７，７００号に記載の共役ポリオキシアルキレン化合物。
【０１３５】
式Ｙ［（Ｃ３Ｈ６Ｏｎ（Ｃ２Ｈ４Ｏ）ｍＨ］ｘ（式中、Ｙは、約２から６個の炭素原子を有し、ｘ個の反応性水素原子（ｘは、少なくとも約２の値を有する）を含有する有機化合物の残基であり、ｎは、ポリオキシプロピレン疎水性塩基の分子量が少なくとも約９００であるような値を有し、ｍは、分子のオキシエチレン含量が約１０重量％から約９０重量％であるような値を有する）を有する、１９５４年４月６日にＬｕｎｄｓｔｅｄらに対して発行された米国特許第２，６７４，６１９号に記載の共役ポリオキシアルキレン化合物。Ｙについての定義の範囲内に該当する化合物は、例えば、プロピレングリコール、グリセリン、ペンタエリスリトール、トリメチロールプロパン、エチレンジアミン等を含む。オキシプロピレン鎖は、任意選択的であるが、有益なことに、少量のエチレンオキシドを含有し、オキシエチレン鎖もまた、任意選択的であるが、有益なことに、少量のプロピレンオキシドを含有する。
【０１３６】
本発明の組成物において有利に使用される追加の共役ポリオキシアルキレン表面活性剤は、式：Ｐ［（Ｃ３Ｈ６Ｏ）ｎ（Ｃ２Ｈ４Ｏ）ｍＨ］ｘに対応し、式中、Ｐが約８から１８個の炭素原子を有し、ｘ個の反応性水素原子を含む有機化合物の残基であり、ｘがまたは２の値を有し、ｎがポリオキシエチレン部分の分子量が少なくとも約４４であるような値を有し、ｍが分子のオキシプロピレン含量が約１０重量％から約９０重量％であるような値を有する。いずれの場合においても、オキシプロピレン鎖は、任意選択的ではあるが、有益なことに、少量のエチレンオキシドを含有してもよく、オキシエチレン鎖もまた、任意選択的ではあるが、有益なことに、少量のプロピレンオキシドを含有してもよい。
【０１３７】
本組成物における使用に好適なポリヒドロキシ脂肪酸アミド界面活性剤は、構造式Ｒ２ＣＯＮＲ１Ｚを有するものを含み、式中、Ｒ１がＨ、Ｃ１〜Ｃ４ヒドロカルビル、２−ヒドロキシエチル、２−ヒドロキシプロピル、エトキシ、プロポキシ基、またはそれらの混合であり；Ｒ２が直鎖であってもよいＣ５〜Ｃ３１ヒドロカルビルであり；Ｚが鎖に直接接続された少なくとも３つのヒドロキシルを有するヒドロカルビル直鎖を有するポリヒドロキシヒドロカルビル、またはそのアルコキシル化誘導体（好ましくはエトキシル化もしくはプロポキシル化）である。Ｚは、グリシチル部分等、還元アミン化反応において還元糖から得られ得る。
【０１３８】
脂肪族アルコールの約０から約２５モルのエチレンオキシドとのアルキルエトキシレート縮合生成物は、本組成物における使用に好適である。脂肪族アルコールのアルキル鎖は、直鎖もしくは分岐鎖、第一級もしくは第二級であり得、また一般に６〜２２個の炭素原子を含有する。
【０１３９】
エトキシル化Ｃ６−Ｃ１８脂肪アルコールならびにＣ６−Ｃ１８混合エトキシル化およびプロポキシル化脂肪アルコールは、特に水溶性のものは、本組成物における使用に好適な界面活性剤である。好適なエトキシル化脂肪アルコールは、３から５０のエトキシル化度を有するＣ６〜Ｃ１８エトキシル化脂肪アルコールを含む。
【０１４０】
特に本組成物における使用に好適な非イオン性アルキルポリサッカリド界面活性剤は、１９８６年１月２１日に発行された米国特許第４，５６５，６４７号、Ｌｌｅｎａｄｏにおいて開示されているものを含む。これらの界面活性剤は、約６〜約３０個の炭素原子を含有する疎水基、および約１．３〜約１０のサッカリド単位を含有するポリサッカリド、例えばポリグリコシド親水基を含む。５または６個の炭素原子を含有する任意の還元サッカリドが使用されてもよく、例えば、グルコース、ガラクトースおよびガラクトシル部分がグルコシル部分と置換されてもよい。（任意選択で、疎水基が２−、３−、４−等の位置に結合し、グルコシドまたはガラクトシドとは対照的にグルコースまたはガラクトースを生成する。）サッカリド間の結合は、例えば、追加のサッカリド単位の１つの位置と、その前のサッカリド単位上の２−、３−、４−、および／または６−の位置との間であり得る。
【０１４１】
本組成物における使用に好適な脂肪酸アミド界面活性剤は、式：Ｒ６ＣＯＮ（Ｒ７）２を有するものを含み、式中、Ｒ６が７から２１個の炭素原子を含むアルキル基であり、各Ｒ７が独立して、水素、Ｃ１〜Ｃ４アルキル、Ｃ１〜Ｃ４ヒドロキシアルキル、または−−（Ｃ２Ｈ４Ｏ）ＸＨであり、ｘが１から３の範囲内である。
【０１４２】
非イオン性界面活性剤の有用なクラスは、アルコキシル化アミン、または、最も具体的には、アルコールアルコキシル化／アミノ化／アルコキシル化界面活性剤として定義されるクラスを含む。これらの非イオン性界面活性剤は、少なくとも部分的に、一般式：Ｒ２０−−（ＰＯ）ＳＮ−−（ＥＯ）ｔＨ、Ｒ２０−−（ＰＯ）ＳＮ−−（ＥＯ）ｔＨ（ＥＯ）ｔＨ、およびＲ２０−−Ｎ（ＥＯ）ｔＨにより表され得、式中、Ｒ２０がアルキル、アルケニルもしくは他の脂肪族基、または８から２０個、好ましくは１２から１４個の炭素原子のアルキル−アリール基であり、ＥＯがオキシエチレンであり、ＰＯがオキシプロピレンであり、ｓが１から２０、好ましくは２〜５であり、ｔは、１〜１０、好ましくは２〜５であり、ｕは、１〜１０、好ましくは２〜５である。これらの化合物の範囲における他の変形例は、代替の式：Ｒ２０−−（ＰＯ）Ｖ−−Ｎ［（ＥＯ）ｗＨ］［（ＥＯ）ｚＨ］により表され得、式中、Ｒ２０が上で定義された通りであり、ｖが１から２０（例えば、１、２、３、または４（好ましくは２））であり、ｗおよびｚが独立して、１〜１０、好ましくは２〜５である。これらの化合物は、商業的には、非イオン性界面活性剤としてＨｕｎｔｓｍａｎ  Ｃｈｅｍｉｃａｌｓにより販売されている製品ラインにより代表される。このクラスの好ましい化学薬品は、Ｓｕｒｆｏｎｉｃ（商標）ＰＥＡ２５アミンアルコキシレートを含む。本発明の組成物に好ましい非イオン性界面活性剤は、アルコールアルコキシレート、ＥＯ／ＰＯブロックコポリマー、アルキルフェノールアルコキシレート等を含む。
【０１４３】
論文、Ｎｏｎｉｏｎｉｃ  Ｓｕｒｆａｃｔａｎｔｓ，  ｅｄｉｔｅｄ  ｂｙ  Ｓｃｈｉｃｋ，Ｍ．Ｊ．，Ｖｏｌ．１  ｏｆ  ｔｈｅ  Ｓｕｒｆａｃｔａｎｔ  Ｓｃｉｅｎｃｅ  Ｓｅｒｉｅｓ，Ｍａｒｃｅｌ  Ｄｅｋｋｅｒ，Ｉｎｃ．，Ｎｅｗ  Ｙｏｒｋ，１９８３は、本発明の実施において一般的に用いられる広範な非イオン性化合物に関する優れた参考文献である。非イオン性のクラス、およびこれらの界面活性剤の種の典型的なリストは、１９７５年１２月３０日にＬａｕｇｈｌｉｎおよびＨｅｕｒｉｎｇに対して発行された米国特許第３，９２９，６７８号に記載されている。更なる例は、「Ｓｕｒｆａｃｅ  Ａｃｔｉｖｅ  Ａｇｅｎｔｓ  ａｎｄ  ｄｅｔｅｒｇｅｎｔｓ」（第Ｉ巻および第ＩＩ巻、Ｓｃｈｗａｒｔｚ、ＰｅｒｒｙおよびＢｅｒｃｈ著）に記載されている。
【０１４４】
半極性非イオン性界面活性剤
半極性型の非イオン性表面活性剤は、本発明の組成物において有用な別のクラスの非イオン性界面活性剤である。一般に、半極性非イオン性物質は、高発泡物質および泡安定剤であり、これはＣＩＰシステムにおけるそれらの適用を制限し得る。しかしながら、高発泡洗浄方法用に設計された本発明の組成上の実施形態では、半極性非イオン性物質は、即時的な実用性を有する。半極性非イオン性界面活性剤は、アミンオキシド、ホスフィンオキシド、スルホキシドおよびそれらのアルコキシル化誘導体を含む。
【０１４５】
アミンオキシドは、一般式、
【化５】
2019529678.tif 000007
式中、矢印は、半極性結合の従来の表現であり；Ｒ１、Ｒ２、およびＲ３は、脂肪族、芳香族、複素環式、脂環式、またはそれらの組み合わせであってもよい。概して、関心の洗剤のアミンオキシドに関して、Ｒ１は、約８〜約２４個の炭素原子のアルキルラジカルであり、Ｒ２およびＲ３は、１〜３個の炭素原子のアルキルもしくはヒドロキシアルキル、それらの混合物であり、Ｒ２およびＲ３は、例えば、酸素または窒素原子を通して互いに結合されて、環構造を形成し得、Ｒ４は、２〜３個の炭素原子を含有するアルキレンまたはヒドロキシアルキレン基であり、ｎは、０〜約２０の範囲である。
【０１４６】
有用な水溶性アミンオキシド界面活性剤は、ヤシまたはタロウアルキルジ−（低級アルキル）アミンオキシドから選択され、その具体例は、ドデシルジメチルアミンオキシド、トリデシルジメチルアミンオキシド、エトラデシル（ｅｔｒａｄｅｃｙｌ）ジメチルアミンオキシド、ペンタデシルジメチルアミンオキシド、ヘキサデシルジメチルアミンオキシド、ヘプタデシルジメチルアミンオキシド、オクタデシルジメチルアイン（ｄｉｍｅｔｈｙｌａｉｎｅ）オキシド、ドデシルジプロピルアミンオキシド、テトラデシルジプロピルアミンオキシド、ヘキサデシルジプロピルアミンオキシド、テトラデシルジブチルアミンオキシド、オクタデシルジブチルアミンオキシド、ビス（２−ヒドロキシエチル）ドデシルアミンオキシド、ビス（２−ヒドロキシエチル）−３−ドデコキシ−１−ヒドロキシプロピルアミンオキシド、ジメチル−（２−ヒドロキシドデシル）アミンオキシド、３，６，９−トリオクタデシルジメチルアミンオキシドおよび３−ドデコキシ−２−ヒドロキシプロピルジ−（２−ヒドロキシエチル）アミンオキシドである。
【０１４７】
有用な半極性非イオン性界面活性剤はまた、以下の構造を有する水溶性ホスフィンオキシドを含む。
【化６】
2019529678.tif 000008
式中、矢印は、半極性結合の従来の表現であり；Ｒ１は、１０から約２４個の炭素原子の鎖長範囲のアルキル、アルケニルまたはヒドロキシアルキル部分であり；Ｒ２およびＲ３は、それぞれ、１から３個の炭素原子を含有するアルキルまたはヒドロキシアルキル基から別個の選択されるアルキル部分である。
【０１４８】
有用なホスフィンオキシドの例としては、ジメチルデシルホスフィンオキシド、ジメチルテトラデシルホスフィンオキシド、メチルエチルテトラデシルホスフィンオキシド、ジメチルヘキサデシルホスフィンオキシド、ジエチル−２−ヒドロキシオクチルデシルホスフィンオキシド、ビス（２−ヒドロキシエチル）ドデシルホスフィンオキシド、およびビス（ヒドロキシメチル）テトラデシルホスフィンオキシドが挙げられる。
【０１４９】
本明細書において有用な半極性非イオン性界面活性剤はまた、以下の構造を有する水溶性スルホキシド化合物を含む。
【化７】
2019529678.tif 000009
式中、矢印は、半極性結合の従来の表現であり；Ｒ１は、約８から約２８個の炭素原子のアルキルまたはヒドロキシアルキル部分、０から約５個のエーテル連結部、および０から約２個のヒドロキシル置換基であり；Ｒ２は、１から３個の炭素原子を有するアルキルおよびヒドロキシアルキル基からなるアルキル部分である。
【０１５０】
これらのスルホキシドの有用な例としては、ドデシルメチルスルホキシド；３−ヒドロキシトリデシルメチルスルホキシド；３−メトキシトリデシルメチルスルホキシド；および３−ヒドロキシ−４−ドデコキシブチルメチルスルホキシドが挙げられる。
【０１５１】
本発明の組成物のための半極性非イオン性界面活性剤は、ジメチルアミンオキシド、例えばラウリルジメチルアミンオキシド、ミリスチルジメチルアミンオキシド、セチルジメチルアミンオキシド、それらの組み合わせ等を含む。有用な水溶性アミンオキシド界面活性剤は、オクチル、デシル、ドデシル、イソドデシル、ヤシ、または獣脂アルキルジ−（低級アルキル）アミンオキシドから選択され、それらの具体例は、オクチルジメチルアミンオキシド、ノニルジメチルアミンオキシド、デシルジメチルアミンオキシド、ウンデシルジメチルアミンオキシド、ドデシルジメチルアミンオキシド、イソ−ドデシルジメチルアミンオキシド、トリデシルジメチルアミンオキシド、テトラデシルジメチルアミンオキシド、ペンタデシルジメチルアミンオキシド、ヘキサデシルジメチルアミンオキシド、ヘプタデシルジメチルアミンオキシド、オクタデシルジメチルアインオキシド、ドデシルジプロピルアミンオキシド、テトラデシルジプロピルアミンオキシド、ヘキサデシルジプロピルアミンオキシド、テトラデシルジブチルアミンオキシド、オクタデシルジブチルアミンオキシド、ビス（２−ヒドロキシエチル）ドデシルアミンオキシド、ビス（２−ヒドロキシエチル）−３−ドデコキシ−１−ヒドロキシプロピルアミンオキシド、ジメチル−（２−ヒドロキシドデシル）アミンオキシド、３，６，９−トリオクタデシルジメチルアミンオキシド、および３−ドデコキシ−２−ヒドロキシプロピルジ−（２−ヒドロキシエチル）アミンオキシドである。
【０１５２】
本発明の組成物と共に使用するのに好適な非イオン性界面活性剤としては、アルコキシル化界面活性剤が挙げられる。好適なアルコキシル化界面活性剤としては、ＥＯ／ＰＯコポリマー、末端処理ＥＯ／ＰＯコポリマー、アルコールアルコキシレート、末端処理アルコールアルコキシレート、それらの混合物などが挙げられる。溶剤として使用するのに好適なアルコキシル化界面活性剤としては、Ｐｌｕｒｏｎｉｃおよび逆Ｐｌｕｒｏｎｉｃ界面活性剤などのＥＯ／ＰＯブロックコポリマー、Ｄｅｈｙｐｏｎ  ＬＳ−５４（Ｒ−（ＥＯ）５（ＰＯ）４）およびＤｅｈｙｐｏｎ  ＬＳ−３６（Ｒ−（ＥＯ）３（ＰＯ）６）などのアルコールアルコキシレート、ならびにＰｌｕｒａｆａｃ  ＬＦ２２１およびＴｅｇｏｔｅｎ  ＥＣ１１などの末端処理アルコールアルコキシレート、それらの混合物、または同様のものが挙げられる。
【０１５３】
カチオン性界面活性剤
表面活性物質は、分子のヒドロトロープ部分上の電荷が正である場合、カチオン性と分類される。ヒドロトロープが、ｐＨが中性近く、またはそれ以下まで下げられない限り電荷を帯びないが、その後陽イオン（例えばアルキルアミン）である界面活性剤も、この群に含まれる。理論的には、陽イオン界面活性剤は、「オニウム」構造ＲｎＸ＋Ｙ−−を含む元素のいずれの組み合わせからも合成され得、リン（ホスホニウム）および硫黄（スルホニウム）等の窒素（アンモニウム）以外の化合物を含み得る。実際には、陽イオン界面活性剤の分野は、恐らく、窒素の陽イオン界面活性剤への合成経路が単純かつ容易であり、高収率の生成物を生じ、これが、窒素の陽イオン界面活性剤をより安価にするために、窒素含有化合物によって支配されている。
【０１５４】
カチオン性界面活性剤は、好ましくは、少なくとも１つの長い炭素鎖疎水性基および少なくとも１つの正電荷を帯びた窒素を含有する化合物を含み、より好ましくはこれを指す。長い炭素鎖基は、単純な置換によって窒素原子に直接結合されてもよく、またはより好ましくは、所謂中断アルキルアミンおよびアミドアミン内の架橋官能基（複数可）によって間接的に結合されてもよい。かかる官能基は、分子を、より親水性および／もしくはより水分散性にし、共界面活性剤混合物によって水により溶解され易くし、かつ／または水溶性にすることができる。水溶性の増大のために、追加的な一級、二級、もしくは三級アミノ基が導入され得るか、またはアミノ窒素が、低分子量アルキル基を用いて四級化され得る。さらに、窒素は、多様な不飽和度の分岐鎖もしくは直鎖部分の一部、または飽和もしくは不飽和複素環式環の一部であり得る。それに加えて、カチオン性界面活性剤は、１個よりも多くのカチオン性窒素原子を有する複雑な結合を含有し得る。
【０１５５】
アミンオキシド、両性、および両性イオンとして分類される界面活性剤化合物は、それ自体は、典型的には中性近くから酸性ｐＨの溶液中でカチオン性であり、界面活性剤の分類と重複する。ポリオキシエチル化カチオン性界面活性剤は、概して、アルカリ性溶液中で非イオン性界面活性剤のように、および酸性溶液中でカチオン性界面活性剤のように挙動する。
【０１５６】
最も単純なカチオン性アミンであるアミン塩および四級アンモニウム化合物は、以下のように概略的に描写され得、
【化８】
2019529678.tif 000010
式中、Ｒは、アルキル鎖を表し、Ｒ’、Ｒ’’、およびＲ’’’は、アルキル鎖もしくはアリール基のいずれか、または水素でもよく、Ｘは、陰イオンを表す。アミン塩および四級アンモニウム化合物は、それらの高い水溶性度のため、本発明における実践的使用に好ましい。
【０１５７】
大量の商業用陽イオン界面活性剤の大部分は、当業者に既知の４つの主なクラスおよび追加の部分群に細分することができ、“Ｓｕｒｆａｃｔａｎｔ  Ｅｎｃｙｃｌｏｐｅｄｉａ”，Ｃｏｓｍｅｔｉｃｓ＆Ｔｏｉｌｅｔｒｉｅｓ，Ｖｏｌ．１０４（２）８６−９６（１９８９）に記載されている。第１のクラスは、アルキルアミンおよびそれらの塩を含む。第２のクラスは、アルキルイミダゾリンを含む。第３のクラスは、エトキシル化アミンを含む。第４のクラスは、例えば、アルキルベンジルジメチルアンモニウム塩、アルキルベンゼン塩、複素環アンモニウム塩、テトラアルキルアンモニウム塩等の四級物（ｑｕａｔｅｒｎａｒｙ）を含む。カチオン性界面活性剤は、本組成物において有益であり得る多様な特性を有することが知られている。これらの望ましい特性としては、中性ｐＨ以下の組成物における洗浄力、抗微生物性有効性、他の薬剤と連携した増粘またはゲル化等が挙げられ得る。
【０１５８】
本発明の組成物において有用なカチオン性界面活性剤としては、式Ｒ１ｍＲ２ｘＹＬＺを有するものが挙げられ、式中、各Ｒ１は、直鎖または分岐アルキルまたはアルケニル基を含有し、最大３個のフェニルまたはヒドロキシ基で任意選択的に置換され、以下の構造のうちの最大４つ：
【化９】
2019529678.tif 000011
またはこれらの構造の異性体もしくは混合物によって任意選択的に中断された有機基であり、それは、約８〜２２個の炭素原子を含有する。Ｒ１基は、追加的に最大１２個のエトキシ基を含有し得る。ｍは、１〜３の数字である。好ましくは、分子中の１個以下のＲ１基は、ｍが２であるときに１６個以上の炭素原子を有するか、またはｍが３であるときに１２個超の炭素原子を有する。各Ｒ２は、１〜４個の炭素原子またはベンジル基を含有するアルキルまたはヒドロキシアルキル基であり、かつ分子中の１個以下のＲ２は、ベンジルであり、ｘは、０〜１１、好ましくは０〜６の数である。Ｙ基上の任意の炭素原子位置の残りは、水素によって充填される。
【０１５９】
Ｙは、限定されるものではないが、
【化１０】
2019529678.tif 000012
またはそれらの混合物であり得る。好ましくは、Ｌは、１または２であり、かつＹ基は、Ｌが２であるとき、１〜約２２個の炭素原子と２個の遊離炭素単結合とを有するＲ１およびＲ２類似体（好ましくはアルキレンまたはアルケニレン）から選択される部分によって分離されている。Ｚは、ハロゲン化物アニオン、硫酸アニオン、メチル硫酸アニオン、水酸化物アニオン、または硝酸アニオンなどの水溶性アニオンであり、特に塩化物アニオン、臭化物アニオン、ヨウ化物アニオン、硫酸アニオン、またはメチル硫酸アニオンが、カチオン性構成成分の電気的中性を付与する数において好ましい。
【０１６０】
両性界面活性剤
両性（Ａｍｐｈｏｔｅｒｉｃ）または両性（ａｍｐｈｏｌｙｔｉｃ）界面活性剤は、塩基性親水性基および酸性親水性基の両方、ならびに有機疎水性基を含有する。これらのイオンの実体は、他の種類の界面活性剤に関して本明細書に説明される陰イオン基または陽イオン基のうちのいずれかであり得る。塩基性窒素および酸性カルボキシレート基は、塩基性親水性基および酸性親水性基として用いられる典型的な官能基である。少数の界面活性剤において、スルホネート、サルフェート、ホスホネート、またはホスフェートは、負電荷をもたらす。
【０１６１】
両性界面活性剤は、脂肪族ラジカルが直鎖であっても分岐鎖であってもよく、かつ脂肪族置換基のうちの１つが約８〜１８個の炭素原子を含有し、１つが、アニオン性水溶化基、例えば、カルボキシ、スルホ、スルファト（ｓｕｌｆａｔｏ）、ホスファト、またはホスホノを含有する、脂肪族第二級アミンおよび脂肪族第三級アミンの誘導体であると広く説明され得る。両性界面活性剤は、当業者に既知の２つの主なクラスに細分され、“Ｓｕｒｆａｃｔａｎｔ  Ｅｎｃｙｃｌｏｐｅｄｉａ”Ｃｏｓｍｅｔｉｃｓ＆Ｔｏｉｌｅｔｒｉｅｓ，Ｖｏｌ．１０４（２）６９−７１（１９８９）に記載されており、これは、本明細書にその全体が参照により組み込まれる。第１のクラスには、アシル／ジアルキルエチレンジアミン誘導体（例えば、２−アルキルヒドロキシエチルイミダゾリン誘導体）およびそれらの塩が含まれる。第２のクラスには、Ｎ−アルキルアミノ酸およびそれらの塩が含まれる。いくつかの両性界面活性剤は、両方のクラスに当てはまることが想定され得る。
【０１６２】
両性界面活性剤は、当業者に既知の方法で合成され得る。例えば、２−アルキルヒドロキシエチルイミダゾリンは、長鎖カルボン酸（または誘導体）と、ジアルキルエチレンジアミンとの縮合および閉環によって合成される。商業用両性界面活性剤は、例えば、クロロ酢酸または酢酸エチルでのアルキル化によるイミダゾリン環の連続的加水分解および開環によって誘導体化される。アルキル化の間に、１または２つのカルボキシ−アルキル基が反応して、第三級アミンおよびエーテル結合を形成し、異なるアルキル化剤が、異なる第三級アミンを生じる。
【０１６３】
本発明において応用性がある長鎖イミダゾール誘導体は、一般的に、以下の一般式を有し、
【化１１】
2019529678.tif 000013
中性ｐＨ双性イオン
両性スルホネート
【化１２】
2019529678.tif 000014
式中、Ｒは、約８〜１８個の炭素原子を含有する非環式疎水性基であり、Ｍは、陰イオン、一般的にはナトリウムの電荷を中和するための陽イオンである。本組成物に用いることのできる商業的に有名なイミダゾリン由来の両性物質としては、例えば、ココアンホプロピオネート、ココアンホカルボキシ−プロピオネート、ココアンホグリシネート、ココアンホカルボキシ−グリシネート、ココアンホプロピル−スルホネート、およびココアンホカルボキシ−プロピオン酸が挙げられる。アンホカルボン酸は、アンホジカルボン酸のジカルボン酸官能基がアセト酢酸および／またはジプロピオン酸である脂肪イミダゾリンから生成することができる。
【０１６４】
本明細書で上述されるカルボキシメチル化化合物（グリシネート）は、しばしばベタインと呼ばれる。ベタインは、本明細書において双性界面活性剤という表題の節において以下で論じられる、両性のものの特別のクラスである。
【０１６５】
長鎖Ｎ−アルキルアミノ酸は、反応ＲＮＨ２によって容易に調製され、式中、Ｒ＝Ｃ８−Ｃ１８直鎖または分岐鎖アルキル、ハロゲン化カルボン酸を有する脂肪族アミンである。アミノ酸の第１級アミノ基のアルキル化は、第二級アミンおよび第三級アミンをもたらす。アルキル置換基は、２つ以上の反応性窒素中心をもたらす追加のアミノ基を有してもよい。最も商業的なＮ−アルキルアミン酸は、ベータ−アラニンまたはベータ−Ｎ（２−カルボキシエチル）アラニンのアルキル誘導体である。本発明で応用性がある商業用Ｎ−アルキルアミノ酸両性電解質の例には、アルキルベータ−アミノジプロピオネート、ＲＮ（Ｃ２Ｈ４ＣＯＯＭ）２、およびＲＮＨＣ２Ｈ４ＣＯＯＭが含まれる。一実施形態では、Ｒは、約８〜約１８個の炭素原子を含有する非環式疎水性基であり得、Ｍは、陰イオンの電荷を中和するための陽イオンである。
【０１６６】
好適な両性界面活性剤には、ココナツ油またはココナツ脂肪酸などのココナツ生成物由来のものが含まれる。追加の好適なココナツ由来の界面活性剤には、これらの構造の一部として、エチレンジアミン部分、アルカノールアミド部分、アミノ酸部分、例えば、グリシン、またはそれらの組み合わせ、および約８〜１８個（例えば、１２個）の炭素原子の脂肪族置換基が含まれる。かかる界面活性剤は、アルキルアンホジカルボン酸ともみなされ得る。これらの両性界面活性剤は、Ｃ１２−アルキル−Ｃ（Ｏ）−ＮＨ−ＣＨ２−ＣＨ２−Ｎ＋（ＣＨ２−ＣＨ２−ＣＯ２Ｎａ）２−ＣＨ２−ＣＨ２−ＯＨまたはＣ１２−アルキル−Ｃ（Ｏ）−Ｎ（Ｈ）−ＣＨ２−ＣＨ２−Ｎ＋（ＣＨ２−ＣＯ２Ｎａ）２−ＣＨ２−ＣＨ２−ＯＨと表される化学構造を含み得る。二ナトリウムココアンホジプロピオネートは、１つの好適な両性界面活性剤であり、Ｒｈｏｄｉａ  Ｉｎｃ．，Ｃｒａｎｂｕｒｙ，Ｎ．Ｊ．製のＭｉｒａｎｏｌ（商標）ＦＢＳの商標名の下で市販されている。化学名二ナトリウムココアンホジアセテートを有する別の好適なココナツ由来の両性界面活性剤が、同様にＲｈｏｄｉａ  Ｉｎｃ．，Ｃｒａｎｂｕｒｙ，Ｎ．Ｊ．製のＭｉｒａｔａｉｎｅ（商標）ＪＣＨＡの商標名の下で販売されている。
【０１６７】
これらの界面活性剤の両性クラスおよび種の典型的な一覧表は、１９７５年１２月３０日にＬａｕｇｈｌｉｎおよびＨｅｕｒｉｎｇに対して発行された米国特許第３，９２９，６７８号に示されている。更なる例は、「Ｓｕｒｆａｃｅ  Ａｃｔｉｖｅ  Ａｇｅｎｔｓ  ａｎｄ  Ｄｅｔｅｒｇｅｎｔｓ」（Ｓｃｈｗａｒｔｚ，ＰｅｒｒｙおよびＢｅｒｃｈによるＶｏｌ．ＩおよびＩＩ）に示されている。これらの参考文献の各々は、本明細書にその全体が参照により組み込まれる。
【０１６８】
双性イオン性界面活性剤
双性イオン性界面活性剤は、両性界面活性剤のサブセットと捉えられ得、陰イオン電荷を含み得る。双性イオン性界面活性剤は、第二級および第三級アミンの誘導体、複素環式の第二級および第三級アミンの誘導体、または第四級アンモニウム、第四級ホスホニウム、もしくは第三級スルホニウム化合物の誘導体と広く説明され得る。典型的には、双性イオン性界面活性剤は、正電荷を持つ第四級アンモニウム、または場合によっては、スルホニウムもしくはホスホニウムイオンと、負電荷を持つカルボキシル基と、アルキル基とを含む。双性イオンは、一般に、分子の等電領域で略等しい度合いまでイオン化し、正電荷−負電荷中心の間に強い「分子内塩」引力を発生し得る陽イオン基および陰イオン基を含有する。そのような双性イオン性の合成界面活性剤の例としては、脂肪族ラジカルが直鎖であっても分岐であってもよく、脂肪族置換基のうちの１つが８〜１８個の炭素原子を含有し、１つが陰イオン性水溶化基、例えば、カルボキシ、スルホネート、サルフェート、ホスフェート、またはホスホネートを含有する、脂肪族第四級アンモニウム、ホスホニウム、およびスルホニウム化合物の誘導体が挙げられる。
【０１６９】
ベタインおよびスルタイン界面活性剤が、本明細書で使用するための、例示的な双性イオン界面活性剤である。これらの化合物の一般式は、
【化１３】
2019529678.tif 000015
であり、式中、Ｒ１は、０〜１０個のエチレンオキシド部分および０〜１つのグリセリル部分を有する８〜１８個の炭素原子のアルキル、アルケニル、またはヒドロキシアルキルラジカルを含有し、Ｙは、窒素、リン、および硫黄原子からなる群から選択され、Ｒ２は、１〜３個の炭素原子を含有するアルキルまたはモノヒドロキシアルキル基であり、ｘは、Ｙが硫黄原子であるとき１であり、Ｙが窒素またはリン原子であるとき２であり、Ｒ３は、１〜４個の炭素原子のアルキレンまたはヒドロキシアルキレンまたはヒドロキシアルキレンであり、Ｚは、カルボキシレート、スルホネート、サルフェート、ホスホネート、およびホスフェート基からなる群から選択されるラジカルである。
【０１７０】
上記の構造を有する双性イオン界面活性剤の例としては、４−［Ｎ，Ｎ−ジ（２−ヒドロキシエチル）−Ｎ−オクタデシルアンモニオ］−ブタン−１−カルボキシレート、５−［Ｓ−３−ヒドロキシプロピル−Ｓ−ヘキサデシルスルホニオ］−３−ヒドロキシペンタン−１−サルフェート、３−［Ｐ，Ｐ−ジエチル−Ｐ−３，６，９−トリオキサテトラコサンホスホニオ］−２−ヒドロキシプロパン−１−ホスフェート、３−［Ｎ，Ｎ−ジプロピル−Ｎ−３−ドデコキシ−２−ヒドロキシプロピル−アンモニオ］−プロパン−１−ホスホネート、３−（Ｎ，Ｎ−ジメチル−Ｎ−ヘキサデシルアンモニオ）−プロパン−１−スルホネート、３−（Ｎ，Ｎ−ジメチル−Ｎ−ヘキサデシルアンモニオ）−２−ヒドロキシ−プロパン−１−スルホネート、４−［Ｎ，Ｎ−ジ（２（２−ヒドロキシエチル）−Ｎ（２−ヒドロキシドデシル）アンモニオ］−ブタン−１−カルボキシレート、３−［Ｓ−エチル−Ｓ−（３−ドデコキシ−２−ヒドロキシプロピル）スルホニオ］−プロパン−１−ホスフェート、３−［Ｐ，Ｐ−ジメチル−Ｐ−ドデシルホスホニオ］−プロパン−１−ホスホネート、およびＳ［Ｎ，Ｎ−ジ（３−ヒドロキシプロピル）−Ｎ−ヘキサデシルアンモニオ］−２−ヒドロキシ−ペンタン−１−サルフェートが挙げられる。当該洗剤界面活性剤に含有されるアルキル基は、直鎖または分岐鎖でもよく、飽和または不飽和であり得る。
【０１７１】
本組成物において使用するのに好適な双性イオン界面活性剤には、以下の一般構造のベタインが含まれる。
【化１４】
2019529678.tif 000016
これらの界面活性剤ベタインは、典型的に、極度のｐＨで強い陽イオン特徴または陰イオン特徴を示さないか、またはそれらの等電範囲内で水溶性の減少を示さない。「外部」第四級アンモニウム塩とは異なり、ベタインは、陰イオンと適合できる。好適なベタインの例としては、ココナツアシルアミドプロピルジメチルベタイン、ヘキサデシルジメチルベタイン、Ｃ１２−１４アシルアミドプロピルベタイン、Ｃ８−１４アシルアミドヘキシルジエチルベタイン、４−Ｃ１４−１６アシルメチルアミドジエチルアンモニオ−１−カルボキシブタン、Ｃ１６−１８アシルアミドジメチルベタイン、Ｃ１２−１６アシルアミドペンタンジエチルベタイン、およびＣ１２−１６アシルメチルアミドジメチルベタインが挙げられる。
【０１７２】
本発明で有用なスルタインには、式（Ｒ（Ｒ１）２Ｎ＋Ｒ２ＳＯ３−を有する化合物が含まれ、式中、Ｒは、Ｃ６−Ｃ１８ヒドロカルビル基であり、各Ｒ１は典型的に独立して、Ｃ１−Ｃ３アルキル、例えばメチルであり、Ｒ２は、Ｃ１−Ｃ６ヒドロカルビル基、例えば、Ｃ１−Ｃ３アルキレンまたはヒドロキシアルキレン基である。
【０１７３】
これらの界面活性剤の双性イオンクラスおよび種の典型的な一覧表は、１９７５年１２月３０日にＬａｕｇｈｌｉｎおよびＨｅｕｒｉｎｇに対して発行された米国特許第３，９２９，６７８号に示されている。更なる例は、「Ｓｕｒｆａｃｅ  Ａｃｔｉｖｅ  Ａｇｅｎｔｓ  ａｎｄ  Ｄｅｔｅｒｇｅｎｔｓ」（Ｓｃｈｗａｒｔｚ，ＰｅｒｒｙおよびＢｅｒｃｈによるＶｏｌ．ＩおよびＩＩ）に示されている。これらの参考文献の各々は、本明細書にその全体が組み込まれる。
【０１７４】
消泡剤
泡の安定性を低減するための消泡剤は、食器洗い組成物中に含まれ得る。好適な消泡剤には、例えば、Ｐｌｕｒｏｎｉｃ  Ｎ−３の名称で入手可能であるものなどのエチレンオキシド／プロピレンブロックコポリマー、ポリジメチルシロキサン、ポリジメチルシロキサン中に分散されるシリカ、ポリジメチルシロキサン、およびＡｂｉｌ  Ｂ９９５２の名称で入手可能なものなどの官能化ポリジメチルシロキサンなどのシリコーン化合物、脂肪アミド、炭化水素ワックス、脂肪酸、脂肪エステル、脂肪アルコール、脂肪酸石鹸、エトキシレート、鉱物油、ポリエチレングリコールエステル、ならびにリン酸モノステアリルなどのアルキルリン酸エステルが含まれるが、これらに限定されない。消泡剤の考察は、例えば、Ｍａｒｔｉｎらの米国特許第３，０４８，５４８号、Ｂｒｕｎｅｌｌｅらの米国特許第３，３３４，１４７号、およびＲｕｅらの米国特許第３，４４２，２４２号に見出され得、これらの開示は参照により本明細書に組み込まれる。濃縮物が消泡剤を含むとき、消泡剤は、約０．０００１重量％〜約１０重量％、約０．００１重量％〜約５重量％、または約０．０１重量％〜約１．０重量％の量で提供することができる。
【０１７５】
使用方法のための濃縮物および使用溶液
ブロックで提供される固体洗剤組成物は濃縮組成物である。概して、濃縮物は、水で希釈されて、物体に接触して所望の洗浄、濯ぎなどを提供する使用溶液を提供することを意図される組成物を指す。
【０１７６】
使用溶液は、所望の洗浄特性を有する使用溶液を提供する希釈比で濃縮物を水で希釈することによって、濃縮物から調製され得る。濃縮物を希釈して使用組成物を形成するために使用される水は、希釈水または希釈剤と称され得、場所によって変動し得る。典型的な希釈係数は、およそ１〜およそ１０，０００であるが、水の硬度、除去される汚れの量などの因子に依存するであろう。濃縮物は、約１：１０〜約１：１０，０００の濃縮物対水の比で希釈され得る。具体的には、濃縮物は、約１：１００〜約１：５，０００の濃縮物対水の比で希釈される。より具体的には、濃縮物は、約１：２５０〜約１：２，０００の濃縮物対水の比で希釈され得る。
【０１７７】
ブロックの分注速度は、その使用溶液を生成するための重要な要素である。分注速度と希釈率は共に、各々の分注サイクルで使用するべき水の量と使用するべき分注機器の型を決定する。逆に、分注機器が与えられた場合、適切な分注速度を有する固体ブロックは、用途に好適な使用溶液を供給するはずである。
【０１７８】
本発明の一態様において、固体洗剤ブロックの使用溶液は、約１０ｐｐｍから約６０００ｐｐｍのアルカリ源を有する。本発明の好ましい態様において、固体洗剤ブロックの使用溶液は、約５００ｐｐｍから約４０００ｐｐｍのアルカリ源を有する。本発明のなおさらに好ましい態様において、固体洗剤組成物の使用溶液は、２５００ｐｐｍから約３５００ｐｐｍのアルカリ源を有する。それに加えて、本発明により限定されるものではないが、全ての列挙される範囲は、その範囲を定義する数を含み、その定義される範囲内の各整数を含む。
【０１７９】
本発明の一態様において、固体洗剤ブロックは、低使用希釈で効果的な洗浄を提供することが好ましく、例えば、効果的に洗浄するのに必要な容量が少ない。一態様において、固体洗剤ブロックは、使用前に水で約ｌ／１６  ｏｚ．／ｇａｌ．〜約２ｏｚ．／ｇａｌ．またはそれ以上の範囲の希釈度で希釈されてもよい。同一かまたはより良好な洗浄効力を達成するためにより少ない容量を必要とし、低使用希釈で硬度スケール制御および／または他の利点をもたらす固体洗剤ブロックが望ましい。
【０１８０】
いくつかの態様において、固体洗剤ブロックを水などの希釈剤と接触させて、濃縮物および／または様々な用途のための使用溶液を生成する。固体洗剤組成物の態様によると、ブロックは、水または他の希釈剤が固体と接触する（例えば、固体の一部の希釈時に反応を引き起こすために固体の一部に水が噴霧される）使用中に安定したままである。一態様において、固体ブロックは、分注器で使用する前に、数時間から数週間、約１日から約２週間、または約１ヶ月から約２年間安定したままである。有益なことに、固体組成物は、圧縮工程および組成物の性質に起因して、固体配合物中の残りの反応性構成成分の反応を引き起こすことなく、所望の漂白、抗菌および／または消毒効果を得るために分注中に所望量の活性洗浄剤を供給する。
【０１８１】
いくつかの態様において、本発明による固体組成物は、少なくとも約８のｐＨを有する使用溶液を提供する。使用溶液が約８〜約１０のｐＨを有するとき、それは弱アルカリ性と見なされ、ｐＨが約１２より大きいとき、使用溶液は苛性と見なすことができる。一般に、苛性アルカリ系使用組成物より安全であると考えられるので、使用溶液を弱アルカリ性洗浄組成物として提供することが望ましい。いくつかの実施形態において、開示される方法、プロセス、または組成物から製造される固体ブロックの使用溶液は、８超の、９超の、１０超の、１１超の、または好ましくは約９から約１１．５のｐＨを有する。
【０１８２】
いくつかの態様において、本発明は、表面、例えば硬表面から汚れを除去する方法、および／または表面を漂白する方法を提供する。いくつかの実施形態において、方法は、洗剤ブロックの使用溶液を表面と接触させることと、汚れの除去および／または漂白を促進するのに十分な時間の後に表面から組成物を除去することとを含む。接触ステップは任意の適切な時間継続し得る。いくつかの実施形態において、接触ステップは少なくとも１０秒、２０秒、３０秒、４０秒、５０秒、１分、１０分、３０分、１時間、２時間、４時間、８時間、１６時間、１日、３日、１週間、またはそれ以上継続する。洗剤組成物は任意の適切な方法で表面（または汚れ除去および／または漂白のための標的）と接触することができる。いくつかの実施形態において、洗剤組成物は噴霧、泡、浸漬などの手段で塗布される。
【０１８３】
方法は、表面または標的の中および／またはそれらの上で、汚れの任意の適切な除去（例えば、洗浄）、消毒、殺菌、漂白および／または微生物集団の減少を達成するために使用することができる。いくつかの実施形態において、方法は、微生物集団を少なくとも１ｌｏｇ１０減少させるために使用され得る。他の実施形態において、本発明の方法は、少なくとも２ｌｏｇ１０で対象または処理された対象組成物の中および／または上の微生物集団を低減するのに使用できる。さらに他の実施形態において、本発明の方法は、少なくとも３ｌｏｇ１０で対象または処理された対象組成物の中および／または上の微生物集団を低減するのに使用できる。
【０１８４】
いくつかの実施形態において、方法は表面をすすぐことをさらに含む。いくつかの実施形態において、方法は、汚れの除去および／または表面の漂白を助けるために力、撹拌および／または圧力を機械的に加えることをさらに含む。
【０１８５】
本発明の方法を使用して、様々な表面から様々な汚れを除去し、および／または様々な表面を漂白することができる。例えば、本発明の方法を用いた洗浄に適した表面は、壁、床、食器、皿、平皿類、鍋およびフライパン、熱交換コイル、オーブン、フライヤー、スモークハウス、下水管路などを含むが、これらに限定されない。
【０１８６】
いくつかの実施形態において、本発明の方法の後にはすすぎステップのみが続く。他の実施形態において、本発明の方法の後には、洗浄すべき表面に適した従来のＣＩＰ方法が続く。さらに他の実施形態において、本発明の方法の後に、「前処理を用いて産業機器を洗浄する方法」と題した米国特許第８，３９８，７８１号および第８，１１４，２２２号に記載されているものなどのＣＩＰ方法が続き、その両方は参照によりその全ての内容が本明細書に組み込まれる。
【０１８７】
使用方法
別の態様において、開示される方法、プロセス、または固体アニオン性界面活性剤および固体アルカリ源を含む組成物から製造される圧縮固体洗剤ブロックの使用溶液を生成することと、洗浄および消毒を必要とする表面または物体を使用溶液と接触させることとを含む、洗浄、消毒および／または漂白の方法が本明細書において開示されている。有利には、本発明によれば、圧縮固体洗剤組成物の分注速度は、そこで使用されるアニオン性界面活性剤の濃度に基づいて、使用用途への特定の分注速度に制御または調節することができる。
【０１８８】
本発明の態様において、既存の固体洗剤組成物の分注速度を調節する方法は、アニオン性界面活性剤を含む第１の固体とアルカリ源を含む第２の固体とを混合して固体混合物を得ることと、固体混合物を圧縮して固体ブロックを形成することとを含み、ここでアルカリ源は、一つ又は複数のアルカリ化合物を含む。一態様において、分注速度は、アニオン性界面活性剤を含むことによって修正され、分注速度が、６０秒の分注期間、ならびに約２０ｐｓｉから約５０ｐｓｉの圧、および９０°Ｆから約１４０°Ｆの温度を用い、分注器用に設計された寸法および形状を有する固体ブロックを用いるスプレー型分注器によって測定されるとき、１サイクル当たり約２０〜約１２０ｇとなるようにされる。
【０１８９】
さらなる態様において、固体洗剤の分注速度を調節することは、アニオン性界面活性剤を含むことによって修正され、分注速度が、６０秒の分注期間、ならびに約２０ｐｓｉの圧、および９０°Ｆから約１４０°Ｆの温度を用い、分注器用に設計された寸法および形状を有する固体ブロックを用いるスプレー型分注器によって測定されるとき、１サイクル当たり約３０〜約７５ｇとなるようにされる。さらなる態様において、固体洗剤の分注速度を調節することは、アニオン性界面活性剤を含むことによって修正され、分注速度が、６０秒の分注期間、ならびに約２０ｐｓｉ〜約５０ｐｓｉの圧、および約９０°Ｆの温度を用い、分注器用に設計された寸法および形状を有する固体ブロックを用いるスプレー型分注器によって測定されるとき、１サイクル当たり約２０〜約６０ｇとなるようにされる。
【０１９０】
有利には、本発明の実施形態によれば、圧縮固体の分注速度は、同一の手順、条件、および機器によって測定されると、実質的に同様な組成、寸法、および形状を有する標的固体組成物（例えば、既存の押出固体ブロック、または注型固体ブロック）の分注速度の約５％未満以内、約４％未満以内、約３％未満以内、約２％未満以内、または約１％未満以内の実質的に同一の分注速度を有する。
【０１９１】
本明細書における全ての刊行物および特許出願は、本発明が関連する技術分野における通常の技術レベルを示している。全ての刊行物および特許出願は、個々の刊行物または特許出願が参照により組み込まれるように具体的かつ個別に示されているのと同程度に、参照により本明細書に組み込まれる。
【実施例】
【０１９２】
実施形態は、以下の非限定的な実施例においてさらに定義する。これらの実施例は、本発明の特定の実施形態を示してはいるが、単に例証として付与されることが理解されるべきである。上記の考察およびこれらの実施例から、当業者は、本発明の本質的な特徴を確認し得、その趣旨および範囲から逸脱することなく、様々な利用法および条件にそれを適合するために本発明の実施形態の様々な変更および修正を行い得る。したがって、本明細書に示され、説明されるものに加えて、実施形態の様々な修正は、前述の説明から当業者に明らかとなろう。かかる修正もまた、添付の特許請求の範囲の範疇であることが意図される。
【０１９３】
以下の物質が本明細書において使用される。
Ｂｉｏ−ｔｅｒｇｅ（登録商標）ＡＳ−９０−９０％活性Ｃ１４〜Ｃ１６アルファオレフィンスルホネート（ＡＡＯＳ）；
Ｕｆａｒｙｌ  ＤＬ９０Ｃ−９０％Ｃ１０〜Ｃ１３活性直鎖アルキルベンゼンスルホネート塩（ＬＡＳ）、ドラム乾燥粉末；
Ｂｅｌｃｌｅｎｅ  ２００−５０％活性ポリマレイン酸；
Ａｃｕｓｏｌ（商標）４４５Ｎ−４５％活性ポリアクリル酸
Ａｃｕｓｏｌ（商標）４４５ＮＤ−乾燥ポリアクリル酸％
Ａｃｕｓｏｌ（商標）８２０−疎水変性アルカリ可溶性アクリルポリマーエマルション
Ａｃｕｓｏｌ（商標）９２９−４６％活性ポリアクリル
Ｄｅｎｓｅ  Ａｓｈ−炭酸ナトリウム；
Ｌｉｇｈｔ  Ａｓｈ−炭酸ナトリウム；
炭酸水素ナトリウム、粒状；
ＰＥＧ  ８０００−平均分子量８，０００のポリエチレングリコール；
Ｐｏｗｄｅｒ  Ｂｉｃａｒｂ−粉末の炭酸水素ナトリウム；
ＣＭＣ−７ＬＴ−カルボキシメチルセルロース；
ＬＡＥ２４−７−直鎖アルコールエトキシレート（７モルＥＯ）；
ＰＢＴＣ−ホスフォンブタントリカルボン酸；
ＳＴＰＰ−トリポリリン酸ナトリウム；
ＨＥＤＰ−１−ヒドロキシエチリデン−１，１−ジホスホン酸；
【０１９４】
実施例１
ブロックの分注速度に対するそれらのそれぞれの効果を評価するために、様々な化合物を既存の圧縮固体洗剤組成物中の追加の成分として使用した。対照固体洗剤組成物配合物は、表３（下記）の「アニオン性なし」の欄に記載されているような押出成形ブロックである。改質された固体洗剤ブロック組成物は、追加の構成成分として表１に記載された化合物の１つを用いてまたはそれを含まずに製造された。各々の評価化合物を元の洗剤混合物に添加して改質ブロック混合物を製造し、次いで実験室で圧縮固体洗剤ブロックに圧縮した。評価化合物と元の組成物とを混合する前に、組成物の液体構成成分、例えば液体プレミックスおよびＬＡＥ−２４−７を固体アルカリ源に噴霧した。
【０１９５】
この実施例で使用した固体洗剤ブロック組成物は実験室で製造した。各々のブロックは約５００グラムで、直径３インチ、表面積約７．０７平方インチである。表１に記載した各々の化合物の約５重量％を用いて改質ブロックを製造した。表１において、「Ｌｏｗ  ｗａｔｅｒ」、「Ｍｅｄ  ｗａｔｅｒ」、および「Ｌｉｇｈｔ  ｗａｔｅｒ」はそれぞれ４、６、および８重量％の水を意味する。実験室で製造されたブロックはプラントで製造されたブロックよりはるかに小さいので、測定された分注速度はプラントで製造されたブロックのそれと比較されることを意味していなかった。
【０１９６】
改質された固体洗剤組成物の分注速度を表１に記載し、そして各々の改質組成物について分注された累積質量を図１のサイクル数に対してプロットする。表１に記載した分注速度および図１のデータ点については、２０ｐｓｉの１２０°Ｆの水を９０秒間の分注期間に使用した。ブロックの表面が不規則になるかまたは小さくなる可能性があるため、ブロックの約９０重量％が消費された後に集めたデータ点は、ラインフィッティング手順中に使用されなかった。分注速度はフィットラインの勾配として表され、ｇ／サイクルの単位を有する。
【０１９７】
【表１】
2019529678.tif 000017
【０１９８】
実施例２
洗剤組成物の分注速度に対するそれらのそれぞれの効果を評価するために、パイロットプラントで製造された圧縮固体洗剤ブロック組成物中の追加成分として、様々な化合物も使用された。対照配合物は、表３の「アニオン性なし」の欄に記載された化合物および量で製造された。各々の評価化合物を元の洗剤混合物に添加して改質ブロック混合物を製造し、次いで混合物を圧縮してブロックにした。組成物の液体構成成分、すなわち液体プレミックスおよびＬＡＥ−２４−７を固体アルカリ源に噴霧した。
【０１９９】
この実施例で使用される固体洗剤ブロックは約１８１６グラムまたは４ポンドであり、約１９．９平方インチの表面積、スプレーまたはフラッドスタイルの分注器用に設計された寸法および形状を有し、ここで６０秒の分注期間（または他の識別時間間隔）中に適切な量の使用溶液が本明細書に記載されるように製造される。
【０２００】
これらの改質された固体洗剤組成物の分注速度を表２に記載し、そして図２にプロットする。図２に示す対照は表２の「添加剤なし」配合物である。表２に記載された分注速度および図２のデータ点については、２０ｐｓｉの１１０°Ｆの水を６０秒の分注期間に使用した。データは、５％ＬＡＳが、対照の標的速度ブロックよりも低い値に分注速度を減少させ、一方で押出ブロック対照配合物と比較して分注速度を増加させたグリセリンを除いて、他の材料は分注速度をより小さな度合いで減少させた。
【０２０１】
【表２】
2019529678.tif 000018
【０２０２】
実施例３
分注速度に対する圧縮固体洗剤ブロック組成物中のアニオン性界面活性剤濃度の影響もまた評価され、押出洗剤固体ブロック組成物と比較された。試験した各々の固体ブロックの組成を表３に記載する。分注試験の結果を図３に提示する。図３のデータ点については、２０ｐｓｉの１１０°Ｆの水を６０秒の分注期間に使用した。５％アニオン性界面活性剤を含む固体洗剤ブロックは、押出固体ブロックの１つと非常によく一致する分注速度を有する。この評価はまた、圧縮固体洗剤ブロックの分注速度が、アニオン性界面活性剤の濃度または型を変えることによって調節できることを示している。
【０２０３】
【表３】
2019529678.tif 000019
【０２０４】
実施例４
圧縮固体洗剤ブロックの分注速度を、種々の水温および圧力下で押出成形されたブロックと比較した。圧縮固体洗剤ブロックの組成を表３の「アニオンなし」の欄に記載する。押出ブロックは同様の組成を有するが、押出プロセスで製造される。結果を図４に示す。この図のデータは、組成物から製造された圧縮固体ブロックが広範囲の分注条件にわたって分注速度に関して押出ブロックとよく一致することを示し、それ故に配合物は洗浄および消毒目的のために押出ブロックと置き換えることができることを実証する。同等または本質的に同一の分注速度を有し有益であり、圧縮固体ブロックの製造プロセスが洗剤組成物の構成成分の加熱を必要としないため、圧縮固体ブロックをより経済的かつ安全に製造することができる。したがって、圧縮固体ブロックは、組成物中のアニオン性界面活性剤の濃度および／または型に基づいてその分注速度を修正しながら、より多様な成分を収容し、より多くの用途に使用することができる。
【０２０５】
本発明はこのように説明されているが、これは多くの方法で変動し得ることは明らかであろう。かかる変動は、本発明の趣旨および範囲からの逸脱とみなされるべきではなく、全てのかかる修正は、以下の特許請求の範囲の範疇に含まれることが意図される。
【０２０６】
上記の明細書は、開示される組成物および方法の製造および使用の説明を提供する。本発明の趣旨および範囲から逸脱することなく多くの実施形態が作られ得るため、本発明は、特許請求の範囲の中にある。
【図１】
2019529678.tif 000020
【図２】
2019529678.tif 000021
【図３】
2019529678.tif 000022
【図４】
2019529678.tif 000023
【国際調査報告】
2019529678.tif 000024
2019529678.tif 000025